(57)【特許請求の範囲】
【請求項１】
コンピュータ回路を備え、サブフレームｎでのハイブリッド自動再送要求アクノレッジ（ＨＡＲＱ−ＡＣＫ）送信に対する時分割複信（ＴＤＤ）における条件付き物理アップリンク制御チャネル（ＰＵＣＣＨ）リソース割当を提供する動作可能なユーザ機器（ＵＥ）であって、
前記コンピュータ回路は、
前記サブフレームｎの前の時間内で生じる前の特定のサブフレーム内のダウンリンク制御チャネルを受信し、
前記前の特定のサブフレーム内で受信されたダウンリンク制御チャネルタイプが物理ダウンリンク制御チャネル（ＰＤＣＣＨ）または拡張物理ダウンリンク制御チャネル（ＥＰＤＣＣＨ）であることを認識し、
前記受信されたダウンリンク制御チャネルタイプが前記ＰＤＣＣＨである場合にＰＤＣＣＨの最低制御チャネルエレメント（ＣＣＥ）インデックスを用いて前記ＨＡＲＱ−ＡＣＫ送信についてのＰＵＣＣＨリソースを決定し、及び
前記受信されたダウンリンク制御チャネルタイプが前記ＥＰＤＣＣＨである場合に前記ＥＰＤＣＣＨの最低拡張ＣＣＥ（ＥＣＣＥ）インデックスを用いて前記ＨＡＲＱ−ＡＣＫ送信についての前記ＰＵＣＣＨリソースを決定するように構成され、
前記前の特定のサブフレームは、サブフレームｎ−ｋを含み、ここで、ｋ∈Ｋであり、
ダウリンク関連セットインデックスＫは、第３世代パートナーシッププロジェクト（３ＧＰＰ）ロングタームエボリューション（ＬＴＥ）標準リリース１１、技術仕様書（ＴＳ）３６．２１３の表１０．１．３．１−１で定義されており、
Ｋは、前記サブフレームｎおよびアップリンク／ダウンリンク（ＵＬ／ＤＬ）設定に応じたＭ個のエレメント｛ｋ０，ｋ１，・・・ｋＭ−１｝のセットを含み、
ＥＰＤＣＣＨの前記最低ＥＣＣＥインデックスを用いて前記サブフレームｎ−ｋについての前記ＰＵＣＣＨリソースを決定するよう構成された前記コンピュータ回路は、パラメータを用いて前記ＰＵＣＣＨリソースを決定するようさらに構成され、
前記パラメータは、アクノレッジメント（ＡＣＫ）／ネガティブＡＣＫ（ＡＣＫ／ＮＡＣＫ）リソースオフセット（ＡＲＯ）、アンテナポート（ＡＰ）、ＥＰＤＣＣＨセットに対するＵＥ固有の開始オフセット値、および整数ｍから導出され、ｋｍは、前記ＵＥがサブフレームｎ−ｋｍ内のＥＰＤＣＣＨを検出するようなＫのセット内の最小値である、ＵＥ。
【請求項２】
前記サブフレームｎ−ｋは、ＰＤＣＣＨおよび設定されたＥＰＤＣＣＨサブフレームを含む、請求項１に記載のＵＥ。
【請求項３】
１つの設定されたサービングセルおよび前記サブフレームｎに対して、Ｋ∈｛ｋ０，ｋ１，・・・ｋＭ−１｝の前記セット内のエレメントの数であるＭが、Ｍ＝１であり、
前記ＰＤＣＣＨの前記最低ＣＣＥインデックスｎＣＣＥを用いてＨＡＲＱ−ＡＣＫ送信に対して前記ＰＵＣＣＨリソース
【数２０５】
0006023342.tif 000209
を決定するよう構成されたコンピュータ回路は、
【数２０６】
0006023342.tif 000210
になり、アンテナポートｐ０に対して、
【数２０７】
0006023342.tif 000211
で表され、アンテナポートｐ１に対して、
【数２０８】
0006023342.tif 000212
で表される前記ＰＵＣＣＨリソース
【数２０９】
0006023342.tif 000213
を使用する｛０，１，２，３｝の中からＣ値を選択し、
ここで、ｎＣＣＥは、サブフレームｎ−ｋｍおよび対応するｍ内の対応するＰＤＣＣＨの送信に用いられる第１ＣＣＥインデックスの数であり、ｋｍは、ＵＥがサブフレームｎ−ｋｍ内のＰＤＣＣＨを検出するようなＫのセット内の最小値であり、
【数２１０】
0006023342.tif 000214
であり、
【数２１１】
0006023342.tif 000215
がダウンリンク帯域幅設定であり、
【数２１２】
0006023342.tif 000216
の複数のユニットで表現され、
【数２１３】
0006023342.tif 000217
は、周波数領域内のリソースブロックサイズであり、複数のサブキャリアの数として表現され、
【数２１４】
0006023342.tif 000218
は、アップリンクサブフレーム内のＰＵＣＣＨ領域についての開始ＰＵＣＣＨチャネルインデックスであり、それぞれのＵＥに対して複数の高レイヤによって設定され、アンテナポートｐ１は、２つのアンテナポート送信が設定されている場合に用いられ、
前記ＥＰＤＣＣＨの前記最低ＥＣＣＥインデックスｎＥＣＣＥを用いて前記ＨＡＲＱ−ＡＣＫ送信について前記ＰＵＣＣＨリソース
【数２１５】
0006023342.tif 000219
を決定するよう構成されたコンピュータ回路は、アンテナポートｐ０に対して、
【数２１６】
0006023342.tif 000220
で表され、アンテナポートｐ１に対して、
【数２１７】
0006023342.tif 000221
で表される前記ＰＵＣＣＨリソース
【数２１８】
0006023342.tif 000222
を使用し、
ここで、Ｖａｌｕｅ（値）は、前記パラメータであり、
ｎＥＣＣＥは、サブフレームｎ−ｋｍおよび対応するｍ内の前記ＥＰＤＣＣＨセット
【数２１９】
0006023342.tif 000223
に対して前記対応するＥＰＤＣＣＨの送信に用いられる第１ＥＣＣＥの数であり、
ここで、ｋｍは、ＵＥがサブフレームｎ−ｋｍ内の前記ＥＰＤＣＣＨセット
【数２２０】
0006023342.tif 000224
に対してＥＰＤＣＣＨを検出するようなＫのセット内の最小値であり、
アンテナポートｐ１は、２つのアンテナポート送信が設定されている場合に使用される、請求項１に記載のＵＥ。
【請求項４】
Ｋ∈｛ｋ０，ｋ１，・・・ｋＭ−１｝かつ
【数２２１】
0006023342.tif 000225
のセット内の複数のエレメントの数であるＭが、Ｍ＞１で、１つの設定されたサービングセルとサブフレームｎに対して、
前記最低ＣＣＥインデックスｎＣＣＥ，ｉを用いたＨＡＲＱ−ＡＣＫ送信に対する前記ＰＵＣＣＨリソース
【数２２２】
0006023342.tif 000226
を決定するよう構成されたコンピュータ回路は、
【数２２３】
0006023342.tif 000227
により表され、
ここで、ｃは、
【数２２４】
0006023342.tif 000228
になるような｛０，１，２，３｝から選択され、ｎＣＣＥ，ｉは、サブフレームｎ−ｋｉ内の対応するＰＤＣＣＨの送信に用いられる第１ＣＣＥインデックスの数であり、
【数２２５】
0006023342.tif 000229
であり、
【数２２６】
0006023342.tif 000230
は、ダウンリンク帯域幅設定であり、
【数２２７】
0006023342.tif 000231
の複数のユニットで表現され、
【数２２８】
0006023342.tif 000232
は、周波数領域内のリソースブロックサイズであり、サブキャリアの数として表現され、
【数２２９】
0006023342.tif 000233
は、アップリンクサブフレーム内のＰＵＣＣＨ領域に対する開始ＰＵＣＣＨチャネルインデックスであり、それぞれのＵＥに対して複数の高レイヤによって設定され、
前記最低ＥＣＣＥインデックスｎＥＣＣＥ，ｉを用いて前記ＨＡＲＱ−ＡＣＫ送信に対する前記ＰＵＣＣＨリソース
【数２３０】
0006023342.tif 000234
を決定するように構成されたコンピュータ回路が、
【数２３１】
0006023342.tif 000235
で表され、
ここで、Ｖａｌｕｅ（値）は、前記パラメータであり、ｎＥＣＣＥ，ｉは、サブフレームｎ−ｋｉ内のＥＰＤＣＣＨセット
【数２３２】
0006023342.tif 000236
に対して前記対応するＥＰＤＣＣＨの送信に用いられる第１ＥＣＣＥの数である、請求項１に記載のＵＥ。
【請求項５】
Ｋ∈｛ｋ０，ｋ１，・・・ｋＭ−１｝セット内の複数のエレメントの数であるＭが、
【数２３３】
0006023342.tif 000237
であり、プライマリセル上でｋｍ∈Ｋ、かつ
【数２３４】
0006023342.tif 000238
およびＡ∈｛２，３，４｝であり、少なくとも２つの設定されたサービングセルおよびサブフレームｎに対して、
前記最低ＣＣＥインデックスｎＣＣＥ，ｍを用いたＨＡＲＱ−ＡＣＫ送信に対する前記ＰＵＣＣＨリソース
【数２３５】
0006023342.tif 000239
を決定するよう構成されたコンピュータ回路は、
【数２３６】
0006023342.tif 000240
および
【数２３７】
0006023342.tif 000241
で表され、
ここで、ｃは、
【数２３８】
0006023342.tif 000242
になるように｛０，１，２，３｝から選択され、ｎＣＣＥ，ｍは、サブフレームｎ−ｋｍ内の対応するＰＤＣＣＨの送信に用いられる第１ＣＣＥインデックスの数であり、
【数２３９】
0006023342.tif 000243
であり、
【数２４０】
0006023342.tif 000244
は、プライマリセルからのダウンリンク帯域幅設定であり、
【数２４１】
0006023342.tif 000245
の複数のユニット内で表され、
【数２４２】
0006023342.tif 000246
は、周波数領域内のリソースブロックサイズであり、複数のサブキャリアの数として表され、
【数２４３】
0006023342.tif 000247
は、アップリンクサブフレーム内のＰＵＣＣＨ領域に対する開始ＰＵＣＣＨチャネルインデックスであり、それぞれのＵＥに対して複数の高レイヤによって設定され、
【数２４４】
0006023342.tif 000248
は、サブフレームｎ、および対応する物理ダウンリンク共有チャネル（ＰＤＳＣＨ）送信が生じるサービングセル上の２つのトランスポートブロックまでサポートする送信モードのために用いられ、最低ＥＣＣＥインデックスｎＥＣＣＥ，ｍを用いてＨＡＲＱ−ＡＣＫ送信に対するＰＵＣＣＨリソース
【数２４５】
0006023342.tif 000249
を決定するよう構成されたコンピュータ回路は、
【数２４６】
0006023342.tif 000250
および
【数２４７】
0006023342.tif 000251
により表され、
ここで、Ｖａｌｕｅ（値）は、前記パラメータであり、ｎＥＣＣＥ，ｍは、サブフレームｎ−ｋｍ内の前記ＥＰＤＣＣＨセット
【数２４８】
0006023342.tif 000252
に対してＥＰＤＣＣＨによる前記対応するＤＣＩ割り当ての送信に用いられる第１ＥＣＣＥの数であり、
【数２４９】
0006023342.tif 000253
は、サブフレームｎ、および対応するＰＤＳＣＨ送信が生じるサービングセル上の２つの送信ブロックまでサポートする送信モードのために用いられる、請求項１に記載のＵＥ。
【請求項６】
Ｍ＞２で、少なくとも２つの設定されたサービングセルおよびサブフレームｎについて、
ここで、Ｍは、Ｋ∈｛ｋ０，ｋ１，・・・ｋＭ−１｝のセット内の複数のエレメントの数であり、ｋ∈Ｋであり、
プライマリセルに対してｋｍ∈Ｋであり、
前記最低ＣＣＥインデックスｎＣＣＥ，ｍを用いるＨＡＲＱ−ＡＣＫ送信に対するＰＵＣＣＨリソース
【数２５０】
0006023342.tif 000254
を決定するように構成されたコンピュータ回路は、
【数２５１】
0006023342.tif 000255
で表され、
ここで、ｃは、
【数２５２】
0006023342.tif 000256
であり、ｎＣＣＥ，ｍが、サブフレームｎ−ｋｍ内の対応するＰＤＣＣＨの送信に用いられる第１ＣＣＥインデックスの数であるように｛０，１，２，３｝から選択され、
【数２５３】
0006023342.tif 000257
であり、
【数２５４】
0006023342.tif 000258
は、プライマリセルのダウンリンク帯域幅設定であり、
【数２５５】
0006023342.tif 000259
の複数のユニット内に表され、
【数２５６】
0006023342.tif 000260
は、周波数領域内のリソースブロックサイズであり、複数のサブキャリアの数として表され、
【数２５７】
0006023342.tif 000261
は、アップリンクサブフレーム内のＰＵＣＣＨ領域に対する開始ＰＵＣＣＨチャネルインデックスであり、それぞれのＵＥに対して複数の高レイヤによって設定され、
前記最低ＥＣＣＥインデックスｎＥＣＣＥ，ｍを用いる前記ＨＡＲＱ−ＡＣＫ送信に対する前記ＰＵＣＣＨリソース
【数２５８】
0006023342.tif 000262
を決定するように構成されたコンピュータ回路は、
【数２５９】
0006023342.tif 000263
で表され、
ここで、Ｖａｌｕｅ（値）は、前記パラメータであり、ｎＥＣＣＥ，ｍは、サブフレームｎ−ｋｍ内の前記ＥＰＤＣＣＨセット
【数２６０】
0006023342.tif 000264
に対して前記対応するＥＰＤＣＣＨの送信に用いられる第１ＥＣＣＥの数である、請求項１に記載のＵＥ。
【請求項７】
前記コンピュータ回路は、第３世代パートナーシッププロジェクト（３ＧＰＰ）ロングタームエボリューション（ＬＴＥ）標準リリース１１ＰＵＣＣＨフォーマット１ａまたは１ｂ、あるいはチャネル選択付きの３ＧＰＰ  ＰＵＣＣＨ  ＬＴＥ標準リリース１１フォーマット１ｂ、あるいは３ＧＰＰ  ＰＵＣＣＨ  ＬＴＥ標準リリース１１フォーマット３に対してアンテナポートｐにマッピングされた
【数２６１】
0006023342.tif 000265
に対するサブフレームｎ内のＸ前記ＨＡＲＱ−ＡＣＫ送信のための前記ＰＵＣＣＨリソース
【数２６２】
0006023342.tif 000266
を使用する、請求項１に記載のＵＥ。
【請求項８】
前記ＵＥは、アンテナ、タッチセンシティブディスプレイ画面、スピーカ、マイク、グラフィクスプロセッサ、アプリケーションプロセッサ、内部メモリ、または不揮発性メモリポートを含む、請求項１に記載のＵＥ。
【請求項９】
ユーザ機器（ＵＥ）における、サブフレームｎでのハイブリッド自動再送要求アクノレッジ（ＨＡＲＱ−ＡＣＫ）送信についての条件付き時分割複信（ＴＤＤ）物理アップリンク制御チャネル（ＰＵＣＣＨ）リソース割当てのための方法であって、
前記サブフレームｎの前の時間内で生じる前の特定のサブフレーム内で受信されたダウンリンク制御チャネルタイプが物理ダウンリンク制御チャネル（ＰＤＣＣＨ）または拡張物理ダウンリンク制御チャネル（ＥＰＤＣＣＨ）であることを認識する段階と、
前記ダウンリンク制御チャネルタイプが前記ＰＤＣＣＨである場合に物理ダウンリンク制御チャネル（ＰＤＣＣＨ）の最低制御チャネルエレメント（ＣＣＥ）インデックスを用いて前記ＨＡＲＱ−ＡＣＫ送信についてのＰＵＣＣＨリソースを決定する段階と、
前記ダウンリンク制御チャネルタイプが前記ＥＰＤＣＣＨである場合に前記ＥＰＤＣＣＨの最低拡張ＣＣＥ（ＥＣＣＥ）インデックスを用いて前記ＨＡＲＱ−ＡＣＫ送信についての前記ＰＵＣＣＨリソースを決定する段階と
を備え、
前記前の特定のサブフレームは、サブフレームｎ−ｋを含み、ここで、ｋ∈Ｋであり、
ダウリンク関連セットインデックスＫは、第３世代パートナーシッププロジェクト（３ＧＰＰ）ロングタームエボリューション（ＬＴＥ）標準リリース１１、技術仕様書（ＴＳ）３６．２１３の表１０．１．３．１−１で定義されており、
Ｋは、前記サブフレームｎおよびアップリンク／ダウンリンク（ＵＬ／ＤＬ）設定に応じたＭ個のエレメント｛ｋ０，ｋ１，・・・ｋＭ−１｝のセットを含み、
ＥＰＤＣＣＨの最低拡張ＣＣＥ（ＥＣＣＥ）インデックスを用いて前記サブフレームｎ−ｋについての前記ＰＵＣＣＨリソースを決定する段階は、
【数２６３】
0006023342.tif 000267
により表されるパラメータＶａｌｕｅ（値）を用いて前記ＰＵＣＣＨリソースを決定するようさらに構成され、
ここで、アクノレッジ（ＡＣＫ）／ネガティブＡＣＫ（ＡＣＫ／ＮＡＣＫ）リソースオフセット（ＡＲＯ）は、前記ＥＰＤＣＣＨ内のダウンリンク制御情報（ＤＣＩ）から導出される整数オフセット値であり、
アンテナポート（ＡＰ）は、パラメータ（０，・・・，３）であり、
【数２６４】
0006023342.tif 000268
は、ＥＰＤＣＣＨセット
【数２６５】
0006023342.tif 000269
に対するＵＥ固有の開始オフセット値であり、
ｍは、整数であり、
ｋｍは、前記ＵＥがサブフレームｎ−ｋｍ内のＥＰＤＣＣＨセット
【数２６６】
0006023342.tif 000270
についてのＥＰＤＣＣＨを検出するようなＫのセット内の最小値である、方法。
【請求項１０】
１つの設定されたサービングセルおよびサブフレームｎに対して、Ｍ＝１で、
前記ＰＤＣＣＨの前記最低ＣＣＥインデックスｎＣＣＥを用いてＨＡＲＱ−ＡＣＫ送信についての前記ＰＵＣＣＨリソース
【数２６７】
0006023342.tif 000271
を決定する段階は、
【数２６８】
0006023342.tif 000272
になる｛０，１，２，３｝の中のＣ値を選択する段階と、
アンテナポートＰ０に対して、
【数２６９】
0006023342.tif 000273
で表され、
アンテナポートＰ１に対して、
【数２７０】
0006023342.tif 000274
で表される前記ＰＵＣＣＨリソース
【数２７１】
0006023342.tif 000275
を使用する段階とをさらに含み、
ここで、ｎＣＣＥは、サブフレームｎ−ｋｍおよび対応する前記ｍ内の対応するＰＤＣＣＨの送信に用いられる第１ＣＣＥインデックスの数であり、
ｋｍは、サブフレームｎ−ｋｍ内のＰＤＣＣＨをＵＥが検出するようなＫのセット内の最小値であり、
【数２７２】
0006023342.tif 000276
であり、
【数２７３】
0006023342.tif 000277
がダウンリンク帯域幅設定であり、
【数２７４】
0006023342.tif 000278
の複数のユニットで表現され、
【数２７５】
0006023342.tif 000279
は、周波数領域内のリソースブロックサイズであり、複数のサブキャリアの数として表現され、
【数２７６】
0006023342.tif 000280
は、アップリンクサブフレーム内のＰＵＣＣＨ領域についての開始ＰＵＣＣＨチャネルインデックスであり、それぞれのＵＥに対して複数の高レイヤによって設定され、アンテナポートＰ１は、２つのアンテナポート送信が設定されている場合に用いられ、
前記ＥＰＤＣＣＨの前記最低ＥＣＣＥインデックスｎＥＣＣＥを用いて前記ＨＡＲＱ−ＡＣＫ送信について前記ＰＵＣＣＨリソース
【数２７７】
0006023342.tif 000281
を決定する段階は、アンテナポートｐ０に対して、
【数２７８】
0006023342.tif 000282
で表され、アンテナポートｐ１に対して、
【数２７９】
0006023342.tif 000283
で表される前記ＰＵＣＣＨリソース
【数２８０】
0006023342.tif 000284
を使用する段階をさらに含み、
ここで、ｎＥＣＣＥは、サブフレームｎ−ｋｍおよび対応するｍ内のＥＰＤＣＣＨセット
【数２８１】
0006023342.tif 000285
に対して対応する前記ＥＰＤＣＣＨの送信に用いられる第１ＥＣＣＥの数であり、ここで、ｋｍは、ＵＥがサブフレームｎ−ｋｍ内の前記ＥＰＤＣＣＨセット
【数２８２】
0006023342.tif 000286
に対してＥＰＤＣＣＨを検出するようなセットＫ内の最小値であり、
アンテナポートｐ１は、２つのアンテナポート送信が設定されている場合に使用される、請求項９に記載の方法。
【請求項１１】
【数２８３】
0006023342.tif 000287
であるＭ＞１で、１つの設定されたサービングセルおよび前記サブフレームｎについて、
前記最低ＣＣＥインデックスｎＣＣＥ，ｉを用いることで、ＨＡＲＱ−ＡＣＫ送信について前記ＰＵＣＣＨリソース
【数２８４】
0006023342.tif 000288
を決定することは、
【数２８５】
0006023342.tif 000289
により表され、
ここで、ｃは、
【数２８６】
0006023342.tif 000290
になるように｛０，１，２，３｝から選択され、
ｎＣＣＥ，ｉは、サブフレームｎ−ｋｉ内の対応するＰＤＣＣＨの送信に用いられる第１ＣＣＥインデックスの数であり、
【数２８７】
0006023342.tif 000291
であり、
【数２８８】
0006023342.tif 000292
は、ダウンリンク帯域幅設定であり、
【数２８９】
0006023342.tif 000293
の複数のユニット内に表され、
【数２９０】
0006023342.tif 000294
は、周波数領域内のリソースブロックサイズであり、複数のサブキャリアの数として表され、
【数２９１】
0006023342.tif 000295
は、アップリンクサブフレーム内のＰＵＣＣＨ領域に対する開始ＰＵＣＣＨチャネルインデックスであり、それぞれのＵＥに対する複数の高レイヤにより設定され、
前記最低ＥＣＣＥインデックスｎＥＣＣＥ，ｉを用いることで前記ＨＡＲＱ−ＡＣＫ送信に対する前記ＰＵＣＣＨリソース
【数２９２】
0006023342.tif 000296
を決定することは、
【数２９３】
0006023342.tif 000297
により表され、
ここで、ｎＥＣＣＥ，ｉは、サブフレームｎ−ｋｉ内の前記ＥＰＤＣＣＨセット
【数２９４】
0006023342.tif 000298
に対する前記対応するＥＰＤＣＣＨの送信に用いられる第１ＥＣＣＥの数である、請求項９に記載の方法。
【請求項１２】
【数２９５】
0006023342.tif 000299
で、少なくとも２つの設定されたサービングセルおよびサブフレームｎについて、ここで、プライマリセルおよび
【数２９６】
0006023342.tif 000300
およびＡ∈｛２，３，４｝に関して、ｋｍ∈Ｋで、
最低ＣＣＥインデックスｎＣＣＥ，ｍを用いることでＨＡＲＱ−ＡＣＫ送信に対して前記ＰＵＣＣＨリソース
【数２９７】
0006023342.tif 000301
を決定することは、
【数２９８】
0006023342.tif 000302
および
【数２９９】
0006023342.tif 000303
により表され、
ここで、ｃは、
【数３００】
0006023342.tif 000304
であり、
ｎＣＣＥ，ｍが、サブフレームｎ−ｋｉ内の対応するＰＤＣＣＨの送信について用いられる第１ＣＣＥインデックスの数であるように｛０，１，２，３｝から選択され、
【数３０１】
0006023342.tif 000305
であり、
【数３０２】
0006023342.tif 000306
は、前記プライマリセルからのダウンリンク帯域幅設定であり、
【数３０３】
0006023342.tif 000307
の複数のユニットで表され、
【数３０４】
0006023342.tif 000308
は、周波数領域内のリソースブロックサイズであり、複数のサブキャリアの数として表され、
【数３０５】
0006023342.tif 000309
は、アップリンクサブフレーム内のＰＵＣＣＨ領域について開始ＰＵＣＣＨチャネルインデックスであり、それぞれのＵＥに対して複数の高レイヤによって設定され、
ここで、
【数３０６】
0006023342.tif 000310
は、サブフレームｎ、および対応する物理ダウンリンク共有チャネル（ＰＤＳＣＨ）送信が生じるサービングセル上で２つのトランスポートブロックまでサポートする送信モードについて用いられ、
前記最低ＥＣＣＥインデックスｎＥＣＣＥ，ｍを用いることで、前記ＨＡＲＱ−ＡＣＫ送信に対する前記ＰＵＣＣＨリソース
【数３０７】
0006023342.tif 000311
を決定する段階は、
【数３０８】
0006023342.tif 000312
および
【数３０９】
0006023342.tif 000313
により表され、
ここで、
ｎＥＣＣＥ，ｍは、サブフレームｎ−ｋｍ内の前記ＥＰＤＣＣＨセット
【数３１０】
0006023342.tif 000314
に対するＥＰＤＣＣＨによる前記対応するＤＣＩ割り当ての送信に用いられる第１ＥＣＣＥの数であり、
【数３１１】
0006023342.tif 000315
は、サブフレームｎ、および対応するＰＤＳＣＨ送信が生じるサービングセル上の２つのトランスポートブロックまでサポートする送信モードに対して用いられる、請求項９に記載の方法。
【請求項１３】
ｋ∈Ｋ、プライマリセルに対してｋｍ∈Ｋにおいて、Ｍ＞２で、少なくとも２つの設定されたサービングセルおよびサブフレームｎに対して、
前記最低ＣＣＥインデックスｎＣＣＥ，ｍを用いることでＨＡＲＱ−ＡＣＫ送信に対する前記ＰＵＣＣＨリソース
【数３１２】
0006023342.tif 000316
を決定する段階は、
【数３１３】
0006023342.tif 000317
によって表され、
ここで、ｃは、
【数３１４】
0006023342.tif 000318
になるように｛０，１，２，３｝から選択され、ｎＣＣＥ，ｍはサブフレームｎ−ｋｍ内の対応するＰＤＣＣＨの送信に用いられる第１ＣＣＥインデックスの数であり、
【数３１５】
0006023342.tif 000319
であり、
【数３１６】
0006023342.tif 000320
は、前記プライマリセルからダウンリンク帯域幅設定であり、
【数３１７】
0006023342.tif 000321
の複数のユニット内で表され、
【数３１８】
0006023342.tif 000322
は、周波数領域内のリソースブロックサイズであり、複数のサブキャリアの数として表され、
【数３１９】
0006023342.tif 000323
は、アップリンクサブフレーム内のＰＵＣＣＨ領域に対する開始ＰＵＣＣＨチャネルインデックスであり、それぞれのＵＥに対して複数の高レイヤにより設定され、
前記最低ＥＣＣＥインデックスｎＥＣＣＥ，ｍを用いることで前記ＨＡＲＱ−ＡＣＫに対する前記ＰＵＣＣＨリソース
【数３２０】
0006023342.tif 000324
を決定する段階は、
【数３２１】
0006023342.tif 000325
により表され、
ここで、ｎＥＣＣＥ，ｍは、サブフレームｎ−ｋｍ内の前記ＥＰＤＣＣＨセット
【数３２２】
0006023342.tif 000326
に対して前記対応するＥＰＤＣＣＨの送信に用いられる第１ＥＣＣＥの数である、請求項９に記載の方法。
【請求項１４】
請求項９から請求項１３のいずれか１つに記載の方法をコンピュータに実行させるためのプログラム。
【請求項１５】
請求項１４に記載のプログラムを格納するコンピュータ可読記録媒体。
【請求項１６】
サブフレームｎでのハイブリッド自動再送要求アクノレッジ（ＨＡＲＱ−ＡＣＫ）送信についての時分割複信（ＴＤＤ）における物理アップリンク制御チャネル（ＰＵＣＣＨ）リソース割当を検出するよう構成されたノードでのデバイスであって、
ダウンリンク制御チャネルタイプで設定されたサブフレームｎ内のＰＵＣＣＨリソースを受信する送受信機と、
プロセッサと
を備え、
前記プロセッサは、
前記サブフレームｎが、いつ物理ダウンリンク制御チャネル（ＰＤＣＣＨ）または拡張型物理ダウンリンク制御チャネル（ＥＰＤＣＣＨ）で設定されるかを決定し、
前記ダウンリンク制御チャネルタイプが物理ダウンリンク制御チャネル（ＰＤＣＣＨ）である場合に前記ＰＤＣＣＨの最低制御チャネルエレメント（ＣＣＥ）インデックスを用いることでＨＡＲＱ−ＡＣＫ送信に対して前記ＰＵＣＣＨリソースを復号し、
前記ダウンリンク制御チャネルタイプがＥＰＤＣＣＨである場合に前記ＥＰＤＣＣＨの最低拡張ＣＣＥ（ＥＣＣＥ）インデックスを用いることで前記ＨＡＲＱ−ＡＣＫに対する前記ＰＵＣＣＨリソースを復号し、
前記ダウンリンク制御チャネルタイプは、サブフレームｎ−ｋで受信され、ここで、ｋ∈Ｋであり、
ダウリンク関連セットインデックスＫは、第３世代パートナーシッププロジェクト（３ＧＰＰ）ロングタームエボリューション（ＬＴＥ）標準リリース１１、技術仕様書（ＴＳ）３６．２１３の表１０．１．３．１−１で定義されており、
Ｋは、前記サブフレームｎおよびアップリンク／ダウンリンク（ＵＬ／ＤＬ）設定に応じたＭ個のエレメント｛ｋ０，ｋ１，・・・ｋＭ−１｝のセットを含み、
前記ＥＰＤＣＣＨの前記最低ＥＣＣＥインデックスを用いることで前記ＨＡＲＱ−ＡＣＫ送信に対する前記ＰＵＣＣＨリソースを復号するよう構成された前記プロセッサは、
【数３２３】
0006023342.tif 000327
により表されるパラメータＶａｌｕｅ（値）を使用することで前記ＰＵＣＣＨを復号するようにさらに構成され、
アクノレッジ（ＡＣＫ）／ネガティブＡＣＫ（ＡＣＫ／ＮＡＣＫ）リソースオフセット（ＡＲＯ）は、前記ＥＰＤＣＣＨ内のダウンリンク制御情報（ＤＣＩ）から導出される整数オフセット値であり、
アンテナポート（ＡＰ）は、パラメータ（０，・・・，３）であり、
【数３２４】
0006023342.tif 000328
は、ＥＰＤＣＣＨセット
【数３２５】
0006023342.tif 000329
に対してＵＥ固有の開始オフセット値であり、
ｍは、整数であり、
ここで、ｋｍは、前記ＵＥがサブフレームｎ−ｋｍ内のＥＰＤＣＣＨセット
【数３２６】
0006023342.tif 000330
に対するＥＰＤＣＣＨを検出するようなＫのセット内の最小値である、デバイス。
【請求項１７】
前記ノードは、基地局（ＢＳ）、ノードＢ（ＮＢ）、発展型ＮｏｄｅＢ（ｅＮＢ）、ベースバンドユニット（ＢＢＵ）、遠隔無線ヘッド（ＲＲＨ）、遠隔無線機器（ＲＲＥ）、遠隔無線ユニット（ＲＲＵ）、および中央処理モジュール（ＣＰＭ）からなるグループから選択される、請求項１６に記載のデバイス。
【発明の詳細な説明】
【技術分野】
【０００１】
［関連出願］
本願は、代理人整理番号Ｐ５０３２８Ｚで、２０１２年１０月２６日に出願された米国仮特許出願番号６１／７１９２４１の利益を主張し、参照することにより、本明細書に組み込まれる。
【背景技術】
【０００２】
無線移動通信技術は、ノード（例えば、送信局）と無線デバイス（例えば、モバイルデバイス）との間でデータを送信するために様々な複数の規格および複数のプロトコルを使用する。いくつかの無線デバイスは、ダウンリンク（ＤＬ）送信での直交周波数分割多重アクセス（ＯＦＤＭＡ）およびアップリンク（ＵＬ）送信での単一キャリア周波数分割多重アクセス（ＳＣ−ＦＤＭＡ）を用いることで通信する。信号送信のために直交周波数分割多重（ＯＦＤＭ）を使用する複数の規格および複数のプロトコルは、第３世代パートナーシッププロジェクト（３ＧＰＰ）ロングタームエボリューション（ＬＴＥ）、ＷｉＭＡＸ（マイクロ波アクセスのための世界的相互運用）として企業団体に一般に知られている電気電子技術者協会（ＩＥＥＥ）８０２．１６規格（例えば、８０２．１６ｅ、８０２．１６ｍ）、およびＷｉＦｉとして企業団体に一般に知られているＩＥＥＥ８０２．１１規格を含む。
【０００３】
３ＧＰＰ無線アクセスネットワーク（ＲＡＮ）ＬＴＥシステムにおいて、ノードは、Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）ノードＢ（発展型ノードＢ、改良型ノードＢ、ｅＮｏｄｅＢ、またはｅＮＢとしても一般に示される）と、ユーザ機器（ＵＥ）として知られる無線デバイスと通信する無線ネットワークコントローラ（ＲＮＣ）との組み合わせであり得る。ダウンリンク（ＤＬ）送信は、ノード（例えば、ｅＮｏｄｅＢ）から無線デバイス（例えば、ＵＥ）への通信であり得る。アップリンク（ＵＬ）送信は、無線デバイスからノードへの通信であり得る。
【０００４】
ＬＴＥにおいて、データは、物理ダウンリンク共有チャネル（ＰＤＳＣＨ）を介してｅＮｏｄｅＢからＵＥに送信され得る。物理アップリンク制御チャネル（ＰＵＣＣＨ）は、データが受信されたことのアクノレッジに使用されることができる。ダウンリンクおよびアップリンクの複数のチャネルまたは複数の送信は、時間分割複信（ＴＤＤ）または周波数分割複信（ＦＤＤ）を使用できる。時間分割複信（ＴＤＤ）は、複数のダウンリンクおよびアップリンク信号を独立させるべく時分割多重（ＴＤＭ）のアプリケーションである。ＴＤＤにおいて、複数のダウンリンク信号および複数のアップリンク信号は、同じ搬送周波数（例えば、共有搬送周波数）で搬送されてよい。ここで、複数のダウンリンク信号は、複数のアップリンク信号とは異なる時間間隔を使用し、従って、複数のダウンリンク信号および複数のアップリンク信号は、互いに干渉を発生させない。ＴＤＭは、ダウンリンクまたはアップリンクなどの２または２より多いビットストリームまたは信号が、１つの通信チャネル内の複数のサブチャネルとして一見したところ同時に伝送されるが、複数の異なるリソース上で物理的に送信される、デジタル多重化のタイプである。周波数分割複信（ＦＤＤ）において、アップリンク送信およびダウンリンク送信は、複数の異なる周波数キャリア（例えば、送信方向のそれぞれに対して別個の搬送周波数）を使用することで動作できる。複数のダウンリンク信号は、複数のアップリンク信号から異なる周波数キャリアを使用するので、ＦＤＤにおいて、干渉は、避けられ得る。
【図面の簡単な説明】
【０００５】
本開示の複数の特徴および複数の利点は、本開示の複数の特徴を、例示の方法で、共に図示される添付の複数の図面と併用して、以下に示す詳細な説明から明らかになるであろう。
【０００６】
【図１】例に従ってレガシー物理ダウンリンク制御チャネル（ＰＤＣＣＨ）を含む無線フレームリソース（例えば、リソースグリッド）の図を図示する。
【０００７】
【図２】例に従って様々なコンポーネントキャリア（ＣＣ）帯域幅の図を図示する。
【０００８】
【図３】例に従ってアップリンク無線フレームリソース（例えば、リソースグリッド）のブロック図を図示する。
【０００９】
【図４】例に従ってロングタームエボリューション（ＬＴＥ）に対する複数の物理アップリンク制御チャネル（ＰＵＣＣＨ）領域のブロック図を図示する。
【００１０】
【図５】例に従って時分割複信（ＴＤＤ）における物理アップリンク制御チャネル（ＰＵＣＣＨ）リソース（例えば、ハイブリッド自動再送要求アクノレッジ（ＨＡＲＱ−ＡＣＫ））に対してブロック交互的マッピングのブロック図を図示する。
【００１１】
【図６】例に従ってダウンリンク半持続性スケジューリング（ＳＰＳ）（例えば、３ＧＰＰ  ＬＴＥ規格リリース１１技術仕様書（ＴＳ）３６．２１３表９．２−２）に対するアクノレッジ（ＡＣＫ）／ネガティブＡＣＫ（ＡＣＫ／ＮＡＣＫ）リソースインジケータ（ＡＲＩ）に従った物理アップリンク制御チャネル（ＰＵＣＣＨ）リソース値の表を図示する（例えば、表４）。
【００１２】
【図７】例に従ってＰＵＣＣＨ（例えば、３ＧＰＰ  ＬＴＥ規格リリース１１技術仕様書（ＴＳ）３６．２１３表１０．１．２．２．１−２）についてのハイブリッド自動再送要求アクノレッジ（ＨＡＲＱ−ＡＣＫ）リソースに対する物理アップリンク制御チャネル（ＰＵＣＣＨ）リソース値の表を図示する（例えば、表５）。
【００１３】
【図８】例に従ったＡ＝２（例えば、３ＧＰＰ  ＬＴＥ規格リリース１１技術仕様書（ＴＳ）３６．２１３表１０．１．３．２−１）に対するハイブリッド自動繰り返し要求アクノレッジ（ＨＡＲＱ−ＡＣＫ）多重化の送信の表を図示する（例えば、表６）。
【００１４】
【図９】例に従ったＡ＝３（例えば、３ＧＰＰ  ＬＴＥ規格リリース１１技術仕様書（ＴＳ）３６．２１３表１０．１．３．２−２）に対するハイブリッド自動繰り返し要求アクノレッジ（ＨＡＲＱ−ＡＣＫ）多重化の送信の表を図示する（例えば、表７）。
【００１５】
【図１０】例に従ったＡ＝４（例えば、３ＧＰＰ  ＬＴＥ規格リリース１１技術仕様書（ＴＳ）３６．２１３表１０．１．３．２−３）に対するハイブリッド自動繰り返し要求アクノレッジ（ＨＡＲＱ−ＡＣＫ）多重化の送信の表を図示する（例えば、表８）。
【００１６】
【図１１】例に従った物理アップリンク制御チャネル（ＰＵＣＣＨ）フォーマット１ｂハイブリッド自動繰り返し要求アクノレッジ（ＨＡＲＱ−ＡＣＫ）チャネル選択（例えば、３ＧＰＰ  ＬＴＥ規格リリース１１技術仕様書（ＴＳ）３６．２１３表１０．１．２．２．１−１）に対するＨＡＲＱ−ＡＣＫ（ｊ）に対するサービングセルおよび複数のトランスポートブロック（ＴＢ）のマッピングについての表を図示する（例えば、表９）。
【００１７】
【図１２】例に従ったＭ＝２（例えば、３ＧＰＰ  ＬＴＥ規格リリース１１技術仕様書（ＴＳ）３６．２１３表１０．１．３．２−４）のバンドリングウィンドウサイズをもった時分割複信（ＴＤＤ）に対する物理アップリンク制御チャネル（ＰＵＣＣＨ）フォーマット１ｂハイブリッド自動繰り返し要求アクノレッジ（ＨＡＲＱ−ＡＣＫ）チャネル選択に対するＨＡＲＱ−ＡＣＫ（ｊ）へのそれぞれのサービングセル上の複数のサブフレームのマッピングについての表を図示する（表１０）。
【００１８】
【図１３】例に従ったユーザ機器（ＵＥ）でのキャリアアグリゲーション（ＣＡ）についての条件付きのハイブリッド自動再送再要求（ＨＡＲＱ）マッピングについての方法のフローチャートを示す。
【００１９】
【図１４】例に従ったキャリアアグリゲーション（ＣＡ）についての複数の条件付きハイブリッド自動再送再要求アクノレッジ（ＨＡＲＱ−ＡＣＫ）状態マッピングを提供する動作可能なユーザ機器（ＵＥ）のコンピュータ回路の機能性を示す。
【００２０】
【図１５】例に従ったサービングノード、協調ノード、および無線デバイス（例えば、ＵＥ）のブロック図を図示する。
【００２１】
【図１６】例に従った無線デバイス（例えば、ＵＥ）の図を図示する。
【００２２】
参照は、複数の例示的な実施形態をこれから説明するのに用いられ、特定の言語は、本明細書で、同様な説明をするのに用いられるであろう。それでもなお、それにより発明の範囲を限定するのを意図していないことは理解されるであろう。
【発明を実施するための形態】
【００２３】
本願発明が開示および記載される前に、この発明は、本願明細書で開示されている特定の複数の構造、複数の処理工程、または複数の材料に限定されないことは理解される。しかし、当業者により認識される等価のものまで拡張される。本明細書で使用される技術用語が複数の特定の例のみについて説明することを目的として用いられ、限定されることを意図したものでないことも理解されるであろう。異なる図面での同じ参照符号が同じ要素を表す。複数のフローチャートおよび複数の処理で提供される数は、複数の工程および複数の動作を説明する際の明確性のために提供され、必ずしも特定の順序またはシーケンスを示さない。［例示的な実施形態］
【００２４】
複数の技術的な実施形態の初見の外観は、下記に提供され、次に、複数の特定の技術的な実施形態が、さらに後でより詳細に記載される。この最初の要約は、複数の読み手がその技術をより速く理解するのを助けることを意図しているが、その技術の複数の重要な特徴または複数の本質的な特徴を特定することを意図しておらず、請求される主題の範囲を限定することも意図していない。
【００２５】
物理ダウンリンク共有チャネル（ＰＤＳＣＨ）上のデータの通信は、物理ダウンリンク制御チャネル（ＰＤＣＣＨ）として言及される制御チャネルを介して制御されることができる。ＰＤＣＣＨは、ダウンリンク（ＤＬ）およびアップリンク（ＵＬ）リソース割り当て、送信パワーコマンド、およびページングインジケータのために用いられることができる。ＰＤＳＣＨスケジューリング許可は、ＵＥ特定トラフィックを搬送するべく、専用のＰＤＳＣＨリソース割り当てに対する特定の無線デバイス（例えば、ＵＥ）について指定されることができる。もしくは、ＰＤＳＣＨスケジューリング許可は、システム情報またはページングなどのブロードキャスト制御情報を搬送するべく、共通のＰＤＳＣＨリソース割り当てのためのセル内の全ての無線デバイスについて指定されることができる。
【００２６】
一例において、ＰＤＣＣＨおよびＰＤＳＣＨは、図１に図示するような総称の３ＧＰＰロングタームエボリューション（ＬＴＥ）フレーム構造を用いることで、ノード（例えば、ｅＮｏｄｅＢ）と無線デバイス（例えば、ＵＥ）との間のダウンリンク送信における物理（ＰＨＹ）レイヤ上で送信される無線フレーム構造の複数の要素を表すことができる。
【００２７】
図１は、ダウンリンク無線フレーム構造のタイプ２を図示する。その例において、データを送信するのに用いられる信号の無線フレーム１００は、１０ミリ秒（ｍｓ）の持続時間Ｔｆを有するように構成されることができる。それぞれの無線フレームは、それぞれ１ｍｓの長さである１０個のサブフレーム１１０ｉにセグメント化または分割されることができる。それぞれのサブフレームは、それぞれが０．５ｍｓの持続時間Ｔｓｌｏｔをもつ２つのスロット１２０ａおよび１２０ｂにさらに細分されることができる。  第１のスロット（＃０）１２０ａは、レガシー物理ダウンリンク制御チャネル（ＰＤＣＣＨ）１６０および／または物理ダウンリンク共有チャネル（ＰＤＳＣＨ）１６６を含むことができ、第２のスロット（＃１）１２０ｂは、ＰＤＳＣＨを用いることで送信されるデータを含むことができる。
【００２８】
ノードおよび無線デバイスにより用いられるコンポーネントキャリア（ＣＣ）に対する各スロットは、ＣＣ周波数帯域幅に基づく複数のリソースブロック（ＲＢ）１３０ａ、１３０ｂ、１３０ｉ、１３０ｍ、および１３０ｎを含むことができる。ＣＣは、帯域幅および中心周波数を有する搬送周波数を有することができる。ＣＣのそれぞれのサブフレームは、レガシーＰＤＣＣＨ内で発見されるダウンリンク制御情報（ＤＣＩ）を含むことができる。制御領域内のレガシーＰＤＣＣＨは、レガシーＰＤＣＣＨが用いられる場合、それぞれのサブフレームまたはＲＢ内の第１ＯＦＤＭシンボルの１から３の列を含むことができる。サブフレーム内の残りの１１から１３のＯＦＤＭシンボル（または、レガシーＰＤＣＣＨが用いられない場合、１４のＯＦＤＭシンボル）が（ショートまたはノーマルサイクリックプレフィックスに対する）データについてのＰＤＳＣＨに割り当てられ得る。
【００２９】
制御領域は、物理制御フォーマットインデックスチャネル（ＰＣＦＩＣＨ）、物理ハイブリッド自動繰り返し要求（ハイブリッド−ＡＲＱ）インジケータチャネル（ＰＨＩＣＨ）、およびＰＤＣＣＨを含むことができる。制御領域は、不必要なオーバヘッドを回避すべく、フレキシブルな制御構造を有する。ＰＤＣＣＨのために用いられる制御領域におけるＯＦＤＭシンボルの数は、物理制御フォーマットインデックスチャネル（ＰＣＦＩＣＨ）内で送信される制御チャネルフォーマットインジケータ（ＣＦＩ）により決定されることができる。ＰＣＦＩＣＨは、それぞれのサブフレームの第１ＯＦＤＭシンボル内に位置付けられることができる。ＰＣＦＩＣＨおよびＰＨＩＣＨは、ＰＤＣＣＨよりも優先することができ、したがって、ＰＣＦＩＣＨおよびＰＨＩＣＨは、ＰＤＣＣＨよりも前にスケジューリングされる。
【００３０】
それぞれのＲＢ（物理ＲＢまたはＰＲＢ）１３０ｉは、（周波数軸上の）１２−１５ｋＨｚの複数のサブキャリア１３６、およびスロットあたり（時間軸上の）６つまたは７つの直交周波数分割多重（ＯＦＤＭ）シンボル１３２を含むことができる。ショートまたはノーマルサイクリックプレフィックスが使用される場合、ＲＢは、７つのＯＦＤＭシンボルを用いることができる。拡張サイクリックプレフィックスが使用される場合、ＲＢは、６つのＯＦＤＭシンボルを使用することができる。リソースブロックは、ショートまたはノーマルサイクリックプレフィクスを使用することで、８４個のリソースエレメント（ＲＥ）１４０ｉにマッピングされることができ、またはリソースブロックは、拡張サイクリックプレフィックスを使用することで、７２個のＲＥ（図示せず）にマッピングされることができる。ＲＥは、１つのサブキャリア（例えば、１５ｋＨｚ）１４６を単位として１つのＯＦＤＭシンボル１４２のユニットであり得る。
【００３１】
それぞれのＲＥは、四位相偏移変調（ＱＰＳＫ）変調の場合に、２ビット１５０ａおよび１５０ｂの情報を送信できる。それぞれのＲＥにより多いビットを送信するための１６直交振幅変調（ＱＡＭ）または６４ＱＡＭ、またはそれぞれのＲＥにより少ないビット（単一のビット）を送信するための二位相偏移変調（ＢＰＳＫ）変調などの他のタイプの変調を用いることができる。ＲＢは、ｅＮｏｄｅＢからＵＥへのダウンリンク送信のためのために構成されることができ、ＲＢは、ＵＥからｅＮｏｄｅＢへのアップリンク送信のために構成されることができる。
【００３２】
それぞれの無線デバイスは、少なくとも１つの帯域幅を使用できる。帯域幅は、図２に図示するように、信号帯域幅、搬送帯域幅、またはコンポーネントキャリア（ＣＣ）帯域幅として称されてよい。例えば、ＬＴＥ  ＣＣ帯域幅は、１．４ＭＨｚ３１０、３ＭＨｚ３１２、５ＭＨｚ３１４、１０ＭＨｚ３１６、１５ＭＨｚ３１８、および２０ＭＨｚ３２０を含むことができる。１．４ＭＨｚのＣＣは、７２のサブキャリアを含む６のＲＢを含むことができる。３ＭＨｚのＣＣは、１８０のサブキャリアを含む１５のＲＢを含むことができる。５ＭＨｚのＣＣは、３００のサブキャリアを含む２５のＲＢを含むことができる。１０ＭＨｚのＣＣは、６００のサブキャリアを含む５０のＲＢを含むことができる。１５ＭＨｚのＣＣは、９００のサブキャリアを含む７５のＲＢを含むことができる。２０ＭＨｚのＣＣは、１２００のサブキャリアを含む１００のＲＢを含むことができる。
【００３３】
それぞれのＵＥに対して、ＣＣは、プライマリセル（ＰＣｅｌｌ）として定義されることができる。異なるＵＥは、それらのＰＣｅｌｌとして同じＣＣを必ずしも使用しなくてよい。ＰＣｅｌｌは、ＵＥのためのアンカーキャリアとして見なされることができる。したがって、ＰＣｅｌｌは、無線リンク失敗モニタリング、ハイブリッド自動繰り返し要求アクノレッジ（ＨＡＲＱ−ＡＣＫ）、および物理アップリンク制御チャネル（ＰＵＣＣＨ）リソース割り当て（ＲＡ）などの複数の制御信号機能性のために用いられることができる。１つより多くのＣＣがＵＥに対して設定される場合、追加のＣＣが、ＵＥのためのセカンダリセル（ＳＣｅｌｌ）として示されることができる。
【００３４】
ＰＤＣＣＨ上で搬送されるデータは、ダウンリンク制御情報（ＤＣＩ）と称されることができる。複数の無線デバイスは、無線フレームの１つのサブフレームにおいてスケジューリングされることができる。したがって、複数のＤＣＩメッセージは、複数のＰＤＣＣＨを用いることで送信されてよい。ＰＤＣＣＨ内のＤＣＩ情報は、１または複数の制御チャネルエレメント（ＣＣＥ）を使用することで送信されてよい。ＣＣＥは、１群のリソースエレメントグループ（ＲＥＧ）から構成されることができる。レガシーＣＣＥは、９つのＲＥＧまで含むことができる。それぞれのレガシーＲＥＧは、４つのリソースエレメント（ＲＥ）から構成されることができる。それぞれのリソースエレメントは、直交変調が使用されている場合、２ビットの情報を含むことができる。したがって、レガシーＣＣＥは、７２ビットの情報まで含むことができる。７２ビットより多くの情報がＤＣＩメッセージを搬送するのに必要な場合には、複数のＣＣＥが使用されることができる。複数のＣＣＥの使用が、アグリゲーションレベルと称されることができる。一例において、アグリゲーションレベルは、１つのレガシーＰＤＣＣＨに割り当てられた１、２、４、または８の連続したＣＣＥとして定義されることができる。
【００３５】
レガシーＰＤＣＣＨは、無線通信の複数の他の領域においてなされた複数の進展に対して複数の制約を引き起こし得る。例えば、ＯＦＤＭシンボル内の複数のサブフレームへの複数のＣＣＥのマッピングは、周波数多様性を提供すべく、制御領域を超えて一般的に拡張し得る。しかしながら、多様性を形成するビームは、ＰＤＣＣＨの現在のマッピング手順では、可能でないかもしれない。さらに、レガシーＰＤＣＣＨの容量は、発展型の制御信号に対して十分でないかもしれない。
【００３６】
レガシーＰＤＣＣＨの制約を克服するために、改良型のＰＤＣＣＨ（ＥＰＤＣＣＨ）は、レガシーＰＤＣＣＨなどのサブフレーム内の第１スロットＰＲＢ内のちょうど第１の１から３列のＯＦＤＭシンボルの代わりに、完全なＰＲＢまたはＰＲＢペア（ここで、ＰＲＢペアは、同一のサブキャリアのサブフレームを使用することで２つの連続したＰＲＢであり得る）内のＲＥを使用できる。したがって、ＥＰＤＣＣＨは、増大した容量で構成されることができ、複数の携帯電話ネットワークの設計における複数の進展を許容し、現在既知の複数の挑戦および制約を最小化させる。
【００３７】
レガシーＰＤＣＣＨとは異なり、ＥＰＤＣＣＨは、同一のＲＥ、または異なるＰＲＢではなくＰＤＳＣＨとしてのＰＲＢ内の領域にマッピングされることができる。一例において、ＰＤＳＣＨおよびＥＰＤＣＣＨは、同一のＰＲＢ（または同一のＰＲＢペア）内に多重化されないかもしれない。したがって、１つのＰＲＢ（または１つのＰＲＢペア）が、ＥＰＤＣＣＨを含む場合、ＲＥはＰＤＳＣＨのために用いられないかもしれないので、１つのＰＲＢ（または１つのＰＲＢペア）内の未使用のＲＥは、空白かもしれない。
【００３８】
ロングタームエボリューション（ＬＴＥ）時分割複信（ＴＤＤ）システムに対して、２つのタイプのダウンリンク制御チャネル（例えば、ＰＤＣＣＨおよびＥＰＤＣＣＨ）は、いくつかのバンドリングウィンドウ内に共存するかもしれない。バンドリングウィンドウがＰＤＣＣＨおよびＥＰＤＣＣＨの両方を使用する場合、ＰＵＣＣＨリソース割り当て方法が定義されることができる。
【００３９】
図２に戻って、コンポーネントキャリアは、図３に図示されるような総称のロングタームエボリューション（ＬＴＥ）フレーム構造を使用することで、ノード（例えば、ｅＮｏｄｅＢ）と無線デバイス（例えば、ＵＥ）との間のアップリンク送信における物理（ＰＨＹ）レイヤ上で送信される無線フレーム構造を介してチャネル情報を搬送するのに用いられることができる。ＬＴＥフレーム構造について説明されるけれども、ＳＣ−ＦＤＭＡまたはＯＦＤＭＡを使用する他のタイプの通信規格のためのフレーム構造も使用されてよい。
【００４０】
図３は、アップリンク無線フレーム構造を図示する。同様な構造が、図１に図示されるようなＯＦＤＭＡを使用するダウンリンク無線フレーム構造のために使用されることができる。図３に示される例において、制御情報またはデータを送信するのに使用される信号の無線フレーム１００は、１０ミリ秒（ｍｓ）の持続時間Ｔｆを有するように構成されることができる。それぞれの無線フレームは、それぞれの１ｍｓの長さである１０のサブフレーム１１０ｉにセグメント化または分割されることができる。それぞれのサブフレームは、それぞれ０．５ｍｓの持続時間Ｔｓｌｏｔを有する２つのスロット１２０ａおよび１２０ｂにさらに細分化されることができる。無線デバイスおよびノードにより使用されるコンポーネントキャリア（ＣＣ）のためのそれぞれのスロットは、ＣＣ周波数帯域幅に基づいて複数のリソースブロック（ＲＢ）３３０ａ、３３０ｂ、３３０ｉ、３３０ｍおよび３３０ｎを含むことができる。それぞれのＲＢ（物理ＲＢまたはＰＲＢ）３３０ｉは、（周波数軸上の）１２−１５ｋＨｚの複数のサブキャリア３３６、およびサブキャリアあたり（時間軸上の）６または７のＳＣ−ＦＤＭＡシンボル３３２を含むことができる。ショートまたはノーマルサイクリックプレフィックスが使用される場合、ＲＢは、７つのＳＣ−ＦＤＭＡシンボルを用いることができる。拡張サイクリックプレフィックスが使用される場合、ＲＢは、６つのＳＣ−ＦＤＭＡシンボルを使用できる。リソースブロックは、ショートまたはノーマルサイクリックプレフィクスを使用することで８４のリソースエレメント（ＲＥ）１４０ｉにマッピングされることができ、リソースブロックは、拡張サイクリックプレフィックスを使用することで、７２のＲＥ（不図示）にマッピングされることができる。ＲＥは、１つのサブキャリア（例えば、１５ｋＨｚ）１４６により１つのＳＣ−ＦＤＭＡシンボル３４２のユニットであり得る。  それぞれのＲＥは、四位相偏移変調（ＱＰＳＫ）変調の場合、２つのビット１５０ａおよび１５０ｂの情報を送信できる。それぞれのＲＥにおいてより多くのビットを送信するために１６直交振幅変調（ＱＡＭ）、または６４ＱＡＭ、またはそれぞれのＲＥにおいてより少ないビット（単一のビット）を送信するために二位相偏移変調（ＢＰＳＫ）などの他のタイプの変調が用いられてよい。ＲＢは、無線デバイスからノードにアップリンク送信のために構成されることができる。
【００４１】
アップリンク信号またはチャネルは、物理アップリンク制御チャネル（ＰＵＣＣＨ）上の物理アップリンク共有チャネル（ＰＵＳＣＨ）または制御情報上のデータを含むことができる。ＬＴＥにおいて、アップリンク制御情報（ＵＣＩ）を搬送するアップリンク物理チャネル（ＰＵＣＣＨ）は、チャネル状態情報（ＣＳＩ）レポート、ハイブリッド自動再送再要求（ＨＡＲＱ）アクノレッジ／ネガティブアクノレッジ（ＡＣＫ／ＮＡＣＫ）およびアップリンクスケジューリング要求（ＳＲ）を含むことができる。
【００４２】
無線デバイス（例えば、ＵＥ）は、ＰＵＣＣＨを使用することで、ＰＤＳＣＨについてＨＡＲＱ−ＡＣＫフィードバックを提供できる。ＰＵＣＣＨは、表１内のＬＴＥについて示されるように、様々な変調およびコード体系（ＭＣＳ）で、複数のフォーマット（例えば、ＰＵＣＣＨフォーマット）をサポートできる。表１と同等の情報が、３ＧＰＰ  ＬＴＥ規格リリース１１（例えば、Ｖ１１．２．０（２０１３−０２））技術仕様書（ＴＳ）３６．２１１表５．４−１に示されることができる。例えば、ＰＵＣＣＨフォーマット１ｂは、キャリアアグリゲーションのために用いられることができる２ビットＨＡＲＱ−ＡＣＫを搬送するのに使用されることができる。  ３ＧＰＰ  ＬＴＥリリース１１内の複数の表（例えば、マッピング表）への参照が、３ＧＰＰ  ＬＴＥリリース８，９および１０にも見つけられてよい。
【表１】
0006023342.tif 000002
【００４３】
レガシーＬＴＥ  ＴＤＤは、７つの異なる半静的に構成されるアップリンク−ダウンリンク設定を提供することにより複数の非対称のＵＬ−ＤＬ割り当てをサポートできる。表２は、ＬＴＥで使用される７つのＵＬ−ＤＬ設定を図示している。ここで、「Ｄ」は、ダウンリンクサブフレームを表し、「Ｓ」は、特定のサブフレームを表し、「Ｕ」は、アップリンクサブフレームを表す。一例において、特定のサブフレームは、ダウンリンクサブフレームとして動作または扱われることができる。  表２と同等の情報が、３ＧＰＰ  ＬＴＥ  ＴＳ３６．２１１表４．２−２に示されることができる。
【表２】
0006023342.tif 000003
【００４４】
表２に図示されるように、ＵＬ−ＤＬ設定０は、サブフレーム２、３、４、７、８および９内の６のアップリンクサブフレーム、サブフレーム０、１、５、および６内の４のダウンリンクおよび特定のサブフレームを含むことができ、ＵＬ−ＤＬ設定５は、サブフレーム２内の１つのアップリンクサブフレーム、およびサブフレーム０，１および３−９内の９のダウンリンクおよび特定のサブフレームを含むことができる。それぞれのアップリンクサブフレームｎは、アップリンク−ダウンリンク設定に基づいてダウインリンクサブフレームに関連することができる。ここで、それぞれのアップリンクサブフレームｎは、ダウンリンク関連セットインデックスＫ∈｛ｋ０，ｋ１，・・・ｋＭ−１｝を有することができる。ここで、Ｍは、表３に図示されるように、Ｋのセット内のエレメントの数として定義される。表３と同様な情報は、３ＧＰＰ  ＬＴＥ  ＴＳ３６．２１３表１０．１．３．１−１に示されることができる。
【表３】
0006023342.tif 000004
【００４５】
表３は、いくつかのダウンリンクサブフレームに対するＡＣＫ／ＮＡＣＫフィードバックをハンドリングするアップリンクサブフレーム内のダウンリンクサブフレームバンディングの複数の例を示す。例えば、アップリンク−ダウンリンク設定４において、アップリンクサブフレーム２（サブフレームｎ）は、アップリンクサブフレーム２（例えば、ダウンリンクおよび特定のサブフレーム｛０，４，５，１｝（またはダウンリンクおよび特定のサブフレームｎ−ｋｍ））より前の｛１２，８，７，１１｝サブフレーム（サブフレームｋｍ）であり、Ｍは４に等しいダウンリンクおよび特定のサブフレームに対するＡＣＫ／ＮＡＣＫフィードバックをハンドリングする。アップリンクサブフレーム３（サブフレームｎ）は、アップリンクサブフレーム３（例えば、ダウンリンクサブフレーム｛７，８，９，６｝（またはダウンリンクサブフレームｎ−ｋｍ））より前の｛６，５，４，７｝サブフレーム（サブフレームｋｍ）であり、Ｍは４に等しいダウンリンクサブフレームに対するＡＣＫ／ＮＡＣＫフィードバックをハンドリングする。アップリンク−ダウンリンク設定５、アップリンクサブフレーム２に対して、Ｍは、９に等しい。アップリンク−ダウンリンク設定０、アップリンクサブフレーム２に対して、Ｍは、１に等しく、アンプリンクサブフレーム３で、Ｍは、０に等しい。アップリンク−ダウンリンク設定に応じて、１つのアップリンクサブフレームは、１または複数のダウンリンクサブフレームに対するＡＣＫ／ＮＡＣＫフィードバックに対して責任があってよい。いくつかの状況において、アップリンクサブフレーム責任能力間の同等な分配は、１つのアップリンクサブフレームが、大きい数のダウンリンクおよび特定のサブフレームについてのＡＣＫ／ＮＡＣＫフィードバックに対して責任がある複数の状況を低減するのに望ましいといえる。
【００４６】
いくつかの例における基本的な必要条件として、ネットワークの複数のセルが、干渉を回避するために、ＵＬ−ＤＬ（ＴＤＤ）設定を同調して変更できる。レガシーＬＴＥ  ＴＤＤセットの設定は、表２に示すように、４０％と９０％との間の範囲でＤＬサブフレーム割り当てを提供できる。無線フレーム内のＵＬおよびＤＬサブフレーム割り当ては、システム情報ブロードキャスト信号（例えば、システム情報ブロック（ＳＩＢ））を介して再設定されることができる。ここで、一度設定されたＵＬ−ＤＬ割り当ては、半静的に変化することが期待され得る。
【００４７】
ＴＤＤのプロパティは、ＵＬおよびＤＬサブフレームの数が表２に示されるように異なることができ、しばしばＤＬサブフレーム数は、無線フレームに対してＵＬサブフレームの数より多くなることができる。より多くのＤＬサブフレームがＵＬサブフレームよりも使用される複数の設定において、複数のＤＬサブフレームは、対応する複数の制御信号の送信に対する１つの単一のＵＬサブフレームに関連されることができる。特定のＨＡＲＱ−ＡＣＫタイミング関係の設定が定義されることができる（例えば、３ＧＰＰ  ＬＴＥ規格リリース１１（例えば、Ｖ１１．２．０（２０１３−０２））ＴＳ３６．２１３表１０．１．３．１−１または表３）。ＵＥが、１つのＵＬサブフレームと関連されることができる複数のＤＬサブフレームにスケジューリングされる場合、ＵＥは、ＵＬサブフレームにおいて複数のＡＣＫ／ＮＡＫ（ＡＣＫ／ＮＡＣＫ）ビットを送信できる。１つの単一ＵＬサブフレーム上のＨＡＲＱ−ＡＣＫフィードバックを伴うＤＬサブフレームの数は、１つのバンドリングウィンドウを含むことができる。
【００４８】
図４は、ＰＵＣＣＨリソース割り当ておよびＴＤＤに対するレガシーＰＤＣＣＨを伴う使用を図示する。第２のスロットが、ＰＵＣＣＨに対してスロットレベルのホッピングにより対称性を有することができるので、唯一の第１のスロットは、拡大され、精巧になる。ＰＵＣＣＨフォーマット２／２ａ／２ｂに対するＰＲＢは、バンド端ＰＲＢから、高レイヤシグナリング（例えば、無線リソース制御（ＲＲＣ）信号）により設定されることができる
【数１】
0006023342.tif 000005
に位置付けられることができる。  ＰＵＣＣＨフォーマット２／２ａ／２ｂとＰＵＣＣＨフォーマット１／１ａ／１ｂについて混合のＰＲＢが存在する場合、混合のＰＲＢは、
【数２】
0006023342.tif 000006
により設定されることができる。ここで、１つのＰＲＢは、混合のＰＲＢに対して利用可能であってよい。混合のＰＲＢの後に、ＲＲＣ信号により半静的に設定されるＰＵＣＣＨフォーマット１／１ａ／１ｂについてのＰＲＢが位置付けられることができる。
【数３】
0006023342.tif 000007
から開始すると、動的リソース割り当てに基づく最低ＣＣＥインデックスによるＰＵＣＣＨフォーマット１ａ／１ｂに対するＰＲＢが存在することができ、位置づけられる。ＰＵＳＣＨは、また、複数のスケジューリングポリシーに従って、動的なＰＵＣＣＨリソース領域内で、送信されることができる。任意のＰＲＢがＲＲＣシグナリングによりＰＵＣＣＨフォーマット３に対して位置づけられることができる。  他の例において、ＰＵＣＣＨフォーマット３に対するＰＲＢは、他のＰＵＣＣＨフォーマットのようなバンド内で送信されることができる。
【００４９】
例えば、Ｍ＝１で、１つの設定されたサービングセルおよびサブフレームｎに対するＴＤＤ  ＨＡＲＱ−ＡＣＫバンドルまたはＴＤＤ  ＨＡＲＱ−ＡＣＫ多重化に対して、Ｍは、表３内で定義されたＫのセット内のエレメントの数である。ＵＥは、ＰＵＣＣＨフォーマット１ａ／１ｂに対するアンテナポートｐにマッピングされた
【数４】
0006023342.tif 000008
に対するサブフレームｎ内のＨＡＲＱ−ＡＣＫの送信のためのＰＵＣＣＨリソース
【数５】
0006023342.tif 000009
を使用できる。ＰＤＳＣＨ送信が、対応するＰＤＣＣＨの検出により示される、またはＰＤＣＣＨがサブフレームｎ−ｋ内のダウンリンクセミパーシステントスケジューリング（ＳＰＳ）リリースを示す場合、ここで、ｋ∈Ｋで、（表３で定義された）Ｋは、（表２で定義された）ＵＬ−ＤＬ設定およびサブフレームｎに依存するＭ個のエレメント｛ｋ０，ｋ１，・・・ｋＭ−１｝のセットであり、ＵＥは、まず、｛０，１，２，３｝の中から
【数６】
0006023342.tif 000010
になるようなｃ値を選択でき、アンテナポートｐ０に対する
【数７】
0006023342.tif 000011
を使用できる。
【数８】
0006023342.tif 000012
は、複数の高レイヤ（例えば、ＲＲＣシグナリング）によって設定され、
【数９】
0006023342.tif 000013
であり、ｎＣＣＥは、サブフレームｎ−ｋｍおよび対応するｍで、対応するＰＤＣＣＨの送信のために用いられる第１ＣＣＥの数であり、ｋｍは、ＵＥがサブフレームｎ−ｋｍ内にＰＤＣＣＨを検出するようなセットＫ内の最小値である。２つのアンテナポート送信がＰＵＣＣＨフォーマット１ａ／１ｂに対して設定される場合、アンテナポートｐ１に対するＨＡＲＱ−ＡＣＫバンドルのためのＰＵＣＣＨリソースは、
【数１０】
0006023342.tif 000014
により与えられることができる。
【００５０】
例えば、ＴＤＤに対して、それぞれのＤＬサブフレームのための複数のＰＵＣＣＨリソースは、できるだけ、排他的に留保され、それぞれのＤＬサブフレームのための留保されたリソースの数は、図５に図示されるように、ブロックインタリーブマッピングを適用することにより互いに類似であり得る。それぞれのＤＬサブフレームのための複数のＰＵＣＣＨリソースを保留することにより、ＰＵＳＣＨリソースは、バンドリングウィンドウ内のＤＬサブフレームに対して効率的にスケジューリングされることができる。ＴＤＤ内のＨＡＲＱ−ＡＣＫのためのＰＵＣＣＨリソースは、また、スケジューリングされたＰＤＣＣＨの最低ＣＣＥインデックスの関数により決定されることができる。
【００５１】
ＥＰＤＣＣＨに関しては、サブフレームは、高レイヤシグナリングによりＥＰＤＣＣＨをモニタリングするために設定されることができる。したがって、バンドリングウィンドウ内で、ＰＤＣＣＨおよびＥＰＤＣＣＨのダウンリンク制御チャネルの２つのタイプが共存しうる。図４に示すように、例えば、ＵＥに対してＭ＝４であると仮定すると、ＤＬサブフレームｍ＝０および２がＰＤＣＣＨに対して用いられることができ、さらに、ｍ＝１および３が、高レイヤ設定に従ってＥＰＤＣＣＨに対して用いられることができる。結果として、バンドリングウィンドウがＰＤＣＣＨおよびＥＰＤＣＣＨの両方を使用する場合、ＰＤＣＣＨおよびＥＰＤＣＣを規定するＰＵＣＣＨリソース割り当て方法が定義されることができる。
【００５２】
例えば、ＤＬ制御チャネル（例えば、ＰＤＣＣＨおよびＥＰＤＣＣＨ）の２つの異なるタイプは、バンドリングウィンドウ内で共存することができる。メカニズムは、ＴＤＤに対するバンドリングウィンドウ内のＰＤＣＣＨおよびＥＰＤＣＣＨで混合されたＤＬサブフレーム上で、ＰＵＣＣＨリソース割り当てをハンドリングするのに用いられることができる。設定において、ＵＥは、実際に送信されたＰＵＣＣＨリソース（例えば、ＰＤＣＣＨおよびＥＰＤＣＣＨのいずれか一方）に対して導出されるＤＬサブフレームのためのリソース割り当て方法に従うことができる。他の設定において、ＵＥは、（例えば、送信されたＰＵＣＣＨリソース上のリソース割り当てを基礎とする（例えば、方法Ａ））レガシーＰＤＣＣＨ規則に従うことができる。他の設定において、ＵＥは、（例えば、送信されたＥＰＵＣＣＨリソース上のリソース割り当てを基礎とする（例えば、方法Ｂ））ＥＰＤＣＣＨ規則に従うことができる。
【００５３】
ここで用いられるように、特に指定のない限り、ＰＤＣＣＨおよびＥＰＤＣＣＨが共存できるＵＥに対するバンドリングウィンドウは、混合バンドリングウィンドウと称される。ＴＤＤに対する混合バウンドリングウィンドウ内の動的ＰＵＣＣＨリソース割り当ての方法が、開示される。
【００５４】
レガシーＰＤＣＣＨ（例えば、度々ＰＤＣＣＨと称される）に対応する動的ＰＵＣＣＨリソース割り当て方法（例えば、方法Ａ）がＴＤＤに対して定義されることができる。ＥＰＤＣＣＨに対応する動的ＰＵＣＣＨリソース割り当て方法（例えば、方法Ｂ）は、また、ＴＤＤに対して定義されることができる。例えば、方法Ａと方法Ｂとの間のＰＵＣＣＨリソース割り当ては、ＤＬサブフレームにより導出される実際に用いられるＰＵＣＣＨリソース（例えば、
【数１１】
0006023342.tif 000015
または、
【数１２】
0006023342.tif 000016
）により決定されることができる。
【００５５】
例えば、実際に用いられるＰＵＣＣＨリソースがＥＰＤＣＣＨに対して設定されるＤＬサブフレームにより導出される場合、方法Ｂが、ＰＵＣＣＨリソース割り当てとして用いられてよい。実際のＰＵＣＣＨリソースは、（例えば、ＰＤＣＣＨに対して設定され）ＥＰＤＣＣＨに対して設定されないＤＬサブフレームにより導出される場合、方法Ａが、ＰＵＣＣＨリソース割り当てとして用いられてよい。例えば、ＨＡＲＱ−ＡＣＫ多重化（例えば、チャネル選択を伴うＰＵＣＣＨフォーマット１ｂ）上で、ＵＥがＨＡＲＱ−ＡＣＫフィードバックを送信するためのＰＵＣＣＨリソース
【数１３】
0006023342.tif 000017
を使用し、ＰＵＣＣＨリソースがバンドリングウィンドウ内でｍ＝ｊで導出される場合、ＰＵＣＣＨリソース割り当て方法は、ＰＵＣＣＨリソース導出のためのＤＬサブフレームｍがＰＤＣＣＨに対して設定されるか、ＥＰＤＣＣＨに対して設定されるかに基づいて、方法Ａおよび方法Ｂとの間で適用されることができる、
【００５６】
単一設定のセル内のＴＤＤの動的ＰＵＣＣＨリソース割り当てに関して、チャネル選択（例えば、ＨＡＲＱ−ＡＣＫ多重化）を伴うＰＵＣＣＨフォーマット１ａ／１ｂ送信およびＰＵＣＣＨフォーマット１ｂは、ｎＣＣＥ（例えば、ＰＤＣＣＨの最低ＣＣＥインデックス）またはｎＥＣＣＥ（例えば、ＥＰＤＣＣＨの最低ＥＣＣＥインデックス）により決定される潜在的なリソース割り当てをサポートする。チャネル選択を伴うＰＵＣＣＨフォーマット１ａ／１ｂおよびＰＵＣＣＨフォーマット１ｂの方法に対して、実際に送信されたＰＵＣＣＨリソースの数は、１つのＣＣＥであり得る。使用されるＰＵＣＣＨリソースは、対応するＤＬサブフレーム、またはバンドリングウィンドウ内のＤＬダウンリンク割り当てインデックス（ＤＡＩ）値のいずれか一方により、決定されることができる。ダウンリンク割り当てインデックス（ＤＡＩ）は、無線デバイス（例えば、ＵＥ）に信号伝達されるダウンリンクリソース付与におけるフィールドであり得る。前回のウィンドウ内のどれくらい多くのサブフレームがその無線デバイスへの送信に含まれるかを示している。ＤＡＩは、時間領域多重化（ＴＤＤ）モードにおいて適用でき、無線デバイスがすべてのダウンリンクサブフレーム、または無線デバイスが組み合わせられたＡＣＫ／ＮＡＣＫを送信するためのトランスポートブロックを受信したかどうかを無線デバイスが決定することを可能にできる。
【００５７】
一例において、ＥＰＤＣＣＨを伴うＴＤＤに対するＰＵＣＣＨリソース割り当ての方程式は、
【数１４】
0006023342.tif 000018
のように表される。ここで、ｎＥＣＣＥは、最低ＥＣＣＥインデックスの数であり、Ｖａｌｕｅ（値）は、様々なパラメータからなり得る。一例として、
【数１５】
0006023342.tif 000019
である。ここで、ＡＣＫ／ＮＡＣＫリソースインデクタ（ＡＲＩ）は、ＥＰＤＣＣＨ内のＤＣＩから与えられ得るオフセット値（例えば、整数値でよい）である。ＡＰは、アンテナポート（０，…３）であり、ｍは、表３に基づくパラメータであり、
【数１６】
0006023342.tif 000020
は、ＥＰＤＣＣＨセットｋに対するＵＥ固有の開始オフセット値である。他の例として、ＡＣＫ／ＮＡＣＫリソースオフセット（ＡＲＯ）は、ＡＲＩの代わりに用いられることができる。
【００５８】
設定において、Ｍ＝１で、１つの設定されたサービングセルおよびサブフレームｎに対するＴＤＤ  ＨＡＲＱ−ＡＣＫバンドルまたはＴＤＤ  ＨＡＲＱ−ＡＣＫ多重化に対して、ＵＥは、ＰＵＣＣＨフォーマット１ａ／１ｂに対するアンテナポートｐにマッピングされた
【数１７】
0006023342.tif 000021
に対するサブフレームｎ内のＨＡＲＱ−ＡＣＫの送信のためのＰＵＣＣＨリソース
【数１８】
0006023342.tif 000022
を使用できる。ここで、Ｍは、表３で定義されるＫのセット内のエレメントの数である。
【００５９】
対応するＰＤＣＣＨ／ＥＰＤＣＣＨの検出により示されるＰＤＳＣＨ送信がある、またはサブフレームｎ−ｋ内のダウンリンクＳＰＳリリースを示すＰＤＣＣＨ／ＥＰＤＣＣＨがある場合、ここで、ｋ∈Ｋ（表３で定義される）Ｋは、サブフレームｎおよびＵＬ−ＤＬ設定に応じたＭ個のエレメント｛ｋ０，ｋ１，…ｋＭ−１｝のセットであり、よび、サブフレームｎ−ｋｍがＥＰＤＣＣＨに対して設定されない場合、ＵＥは、
【数１９】
0006023342.tif 000023
になる｛０，１，２，３｝の中のｃ値をまず選択でき、アンテナポートｐ０に対して
【数２０】
0006023342.tif 000024
を使用できる。ここで、
【数２１】
0006023342.tif 000025
は、
【数２２】
0006023342.tif 000026
であり、ｎＣＣＥは、サブフレームｎ−ｋｍおよび対応するｍにおける対応するＰＤＣＣＨの送信に用いられる第１ＣＣＥの数である。ここで、ｋｍは、ＵＥがサブフレームｎ−ｋｍ（例えば、ＰＤＣＣＨがバンドリングウィンドウ内で検出される最後のＤＬサブフレーム）内のＰＤＣＣＨを検出するようなセットＫ内の最小値である。２つのアンテナポート送信がＰＵＣＣＨフォーマット１ａ／１ｂに対して設定される場合、アンテナポートｐ１に対するＨＡＲＱ−ＡＣＫバンドルのためのＰＵＣＣＨリソースは、
【数２３】
0006023342.tif 000027
により与えられることができる。
【００６０】
対応するＰＤＣＣＨ／ＥＰＤＣＣＨの検出により示されるＰＤＳＣＨ送信がある、またはサブフレームｎ−ｋ内のダウンリンクＳＰＳリリースを示すＰＤＣＣＨ／ＥＰＤＣＣＨがある場合、ここで、ｋ∈Ｋおよび（表３で定義される）Ｋは、サブフレームｎおよびＵＬ−ＤＬ設定に応じたＭ個のエレメントのセット｛ｋ０，ｋ１，…ｋＭ−１｝であり、およびサブフレームｎ−ｋｍがＥＰＤＣＣＨに対して設定される場合、ＵＥは、アンテナポートｐ０に対して
【数２４】
0006023342.tif 000028
を使用することができる。
ｎＥＣＣＥは、サブフレームｎ−ｋｍおよび対応するｍ内のＥＰＤＣＣＨセット
【数２５】
0006023342.tif 000029
のための対応するＥＰＤＣＣＨの送信に用いられる第１ＥＣＣＥの数である。ここで、ｋｍは、サブフレームｎ−ｋｍ（例えば、ＥＰＤＣＣＨがバンドリングウィンドウ内で検出される最後のＤＬサブフレーム）内のＥＰＤＣＣＨセット
【数２６】
0006023342.tif 000030
に対するＥＰＤＣＣＨをＵＥが検出するようなセットＫ内の最小値である。２つのアンテナポート送信がＰＵＣＣＨフォーマット１ａ／１ｂに対して設定される場合、アンテナポートｐ１に対するＨＡＲＱ−ＡＣＫバンドルのためのＰＵＣＣＨリソースは、
【数２７】
0006023342.tif 000031
により与えられることができる。
【００６１】
サブフレームｎ−ｋ内で検出される対応するＰＤＣＣＨ／ＥＰＤＣＣＨがないＰＤＳＣＨ送信のみがある場合、ここで、ｋ∈Ｋ、Ｋは、表３で定義され、ＵＥは、ＰＵＣＣＨフォーマット１ａ／１ｂを使用でき、
【数２８】
0006023342.tif 000032
の値をもつＰＵＣＣＨリソース
【数２９】
0006023342.tif 000033
は、高レイヤ設定および表４（例えば、図６）に従って決定される。ＰＵＣＣＨフォーマット１ａ／１ｂおよびＨＡＲＱ−ＡＣＫバンドルのための２つのアンテナポート送信に対して設定されたＵＥに対して、表４内のＰＵＣＣＨリソース値は、アンテナポートｐ０に対する第１のＰＵＣＣＨリソース
【数３０】
0006023342.tif 000034
およびアンテナポートｐ１に対する第２のＰＵＣＣＨリソース
【数３１】
0006023342.tif 000035
を用いて、２つのＰＵＣＣＨリソースにマッピングする。さもなければ、ＰＵＣＣＨリソース値は、アンテナポートｐ０に対して単一のＰＵＣＣＨリソース
【数３２】
0006023342.tif 000036
にマッピングされる。
【００６２】
したがって、キャリアアグリゲーション（ＣＡ）がないＭ＝１のＨＡＲＱ−ＡＣＫバンドルまたはＨＡＲＱ−ＡＣＫ多重化に対して、使用されるＰＵＣＣＨリソースは、ＤＬサブフレームがＰＤＣＣＨかＥＰＤＣＣＨかにより設定されることに従って、バンドリングウィンドウ内の最後のＤＬサブフレームから導出されることができる。
【００６３】
他の設定において、Ｍ＞１で、かつ１つの設定されたサービングセルで、ＴＤＤ  ＨＡＲＱ−ＡＣＫ多重化およびサブフレームｎに対して、Ｍは、表３で定義されたＫのセット内のエレメントの数であり、サブフレームｎ−ｋｉから導出されるＰＵＣＣＨリソースとして
【数３３】
0006023342.tif 000037
サブフレームｎ−ｋｉからのＡＣＫ／ネガティブＡＣＫ／非連続送信（ＤＴＸ）応答（ＡＣＫ／ＮＡＣＫ／ＤＴＸ）としてＨＡＲＱ−ＡＣＫ（ｉ）を意味する。ここで、（表３で定義される）ｋｉ∈Ｋおよび
【数３４】
0006023342.tif 000038
である。
【００６４】
ｋｉ∈Ｋであり、サブフレームｎ−ｋｉ内のダウンリンクＳＰＳリリースを示す対応するＰＤＣＣＨ／ＥＰＤＣＣＨまたはＰＤＣＣＨ／ＥＰＤＣＣＨの検出により示されるＰＤＳＣＨ送信に対して、サブフレームｎ−ｋｉが、ＥＰＤＣＣＨに対して設定されない場合、ＰＵＣＣＨリソースは、
【数３５】
0006023342.tif 000039
により表されることができる。ここで、ｃは、
【数３６】
0006023342.tif 000040
であり、
【数３７】
0006023342.tif 000041
であり、
ｎＣＣＥ，ｉが、サブフレームｎ−ｋｉ内の対応するＰＤＣＣＨの送信のために用いられる第１ＣＣＥの数であり、
【数３８】
0006023342.tif 000042
が複数の高レイヤにより設定されるような｛０，１，２，３｝から選択される。
【００６５】
ｋｉ∈Ｋであり、サブフレームｎ−ｋｉ内のダウンリンクＳＰＳリリースを示す対応するＰＤＣＣＨ／ＥＰＤＣＣＨまたはＰＤＣＣＨ／ＥＰＤＣＣＨの検出により示されるＰＤＳＣＨ送信に対して、サブフレームｎ−ｋｉがＥＰＤＣＣＨに対して設定される場合、ＰＵＣＣＨリソースは、
【数３９】
0006023342.tif 000043
であり、ｎＥＣＣＥ，ｉは、サブフレームｎ−ｋｉ内のＥＰＤＣＣＨセット
【数４０】
0006023342.tif 000044
に対する対応するＥＰＤＣＣＨの送信に用いられる第１のＥＣＣＥの数である。
【００６６】
サブフレームｎ−ｋｉ内で検出される対応するＰＤＣＣＨ/ＥＰＤＣＣＨがないＰＤＳＣＨ送信に対して、
【数４１】
0006023342.tif 000045
の値は、高レイヤ設定および表４（例えば、図６）に従って決定されることができる。
【００６７】
他の設定において、チャネル選択および２つの設定されたサービングセルを伴うＰＵＣＣＨフォーマット１ｂおよび表３で定義されるＫのセット内の複数のエレメントの数であるＭが
【数４２】
0006023342.tif 000046
であるサブフレームｎを伴うＴＤＤ  ＨＡＲＱ−ＡＣＫ多重化に対して、ＵＥは、Ａ  ＰＵＣＣＨリソース
【数４３】
0006023342.tif 000047
から選択されるＰＵＣＣＨリソース
【数４４】
0006023342.tif 000048
上で、ｂ（０）ｂ（１）（例えば、ビット配列）を送信できる。ここで、ＰＵＣＣＨフォーマット１ｂを使用するサブフレームｎ内の表６（例えば、図８）、表７（例えば、図９）および表８（例えば、図１０）に従って、
【数４５】
0006023342.tif 000049
であり、Ａ∈｛２，３，４｝である。Ｍ＝１のサブフレームｎに対して、ＨＡＲＱ−ＡＣＫ（ｊ）は、サービングセルに関連するトランスポートブロックまたはＳＰＳリリースＰＤＣＣＨに対するＡＣＫ／ＮＡＣＫ／ＤＴＸを意味する。ここで、トランスポートブロックおよびＨＡＲＱ−ＡＣＫ（ｊ）に対するサービングセルおよび複数のＡ  ＰＵＣＣＨリソースは、表９（例えば、図１１）により与えられる。  Ｍ＝２のサブフレームｎに対して、ＨＡＲＱ−ＡＣＫ（ｊ）は、それぞれのサービングセル上のセットＫにより与えられるサブフレーム内のＰＤＳＣＨ送信またはＳＰＳリリースＰＤＣＣＨに対するＡＣＫ／ＮＡＣＫ／ＤＴＸ応答を意味する。ここで、ＨＡＲＱ−ＡＣＫ（ｊ）に対するそれぞれのサービングセル上の複数のサブフレームおよび複数のＡ  ＰＵＣＣＨリソースは、表１０（例えば、図１２）により与えられる。ＵＥは、以下に従って、Ｍ＝１に対する表９（例えば、図１１）およびＭ＝２に対する表１０（例えば、図１２）内の
【数４６】
0006023342.tif 000050
であるＨＡＲＱ−ＡＣＫ（ｊ）に関連する複数のＡ  ＰＵＣＣＨリソース
【数４７】
0006023342.tif 000051
を決定できる。
【００６８】
プライマリセル上のｋｍ∈Ｋにおける、サブフレームｎ−ｋｍ内の対応するＰＤＣＣＨ／ＥＰＤＣＣＨの検出により示されるＰＤＳＣＨ送信に対して、または、プライマリセル上のｋｍ∈Ｋにおける、サブフレームｎ−ｋｍ内のダウンリンクＳＰＳリリースを示すＰＤＣＣＨ／ＥＰＤＣＣＨに対して、サブフレームｎ−ｋｍがＰＵＣＣＨリソースに対して設定されていない場合、
【数４８】
0006023342.tif 000052
により表されることができる。ここで、ｃは、｛０，１，２，３｝から
【数４９】
0006023342.tif 000053
であるように選択され、
【数５０】
0006023342.tif 000054
である。ここで、
【数５１】
0006023342.tif 000055
は、プライマリセルから決定される。Ｍ＝１のサブフレームｎおよび、対応するＰＤＳＣＨ送信が生じるサービングセル上の２つのトランスポートブロックまでサポートする送信モードに対して、ＰＵＣＣＨリソース
【数５２】
0006023342.tif 000056
は、
【数５３】
0006023342.tif 000057
により与えられる。ここで、ｎＣＣＥ，ｍは、対応するＤＣＩ割り当ての送信のために用いられる第１ＣＣＥの数であり、
【数５４】
0006023342.tif 000058
は、複数の高レイヤによって設定される。
【００６９】
プライマリセル上のｋｍ∈Ｋにおける、サブフレームｎ−ｋｍ内の対応するＰＤＣＣＨ／ＥＰＤＣＣＨの検出により示されるＰＤＳＣＨ送信に対して、または、プライマリセル上のｋｍ∈Ｋにおける、サブフレームｎ−ｋｍ内のダウンリンクＳＰＳリリースを示すＰＤＣＣＨ／ＥＰＤＣＣＨに対して、サブフレームｎ−ｋｍがＥＰＤＣＣＨに対して設定されている場合、ＰＵＣＣＨリソースは、
【数５５】
0006023342.tif 000059
により表されることができる。Ｍ＝１のサブフレームｎ、および対応するＰＤＳＣＨ送信が生じるサービングセル上の２つのトランスポートブロックまでサポートする送信モードに対して、ＰＵＣＣＨリソース
【数５６】
0006023342.tif 000060
は、
【数５７】
0006023342.tif 000061
により与えられる。ここで、ｎＥＣＣＥ，ｍは、ＥＰＤＣＣＨセット
【数５８】
0006023342.tif 000062
に対するＥＰＤＣＣＨによる対応するＤＣＩ割り当ての送信に用いられる第１ＣＣＥの数である。
【００７０】
ｋ∈Ｋにおける、サブフレームｎ−ｋ内で検出される対応するＰＤＣＣＨ／ＥＰＤＣＣＨがないプライマリセル上のＰＤＳＣＨ送信に対して、
【数５９】
0006023342.tif 000063
の値は、高レイヤ設定および表４（例えば、図６）に従って決定されることができる。
【００７１】
他の設定において、チャネル選択、およびＭ＞２および２つの設定されたサービングセルを用いたサブフレームｎを伴いＰＵＣＣＨフォーマット１ｂを用いたＴＤＤ  ＨＡＲＱ−ＡＣＫ多重化に対して、Ｍは、表３に定義されるＫのセット内のエレメントの数であり、ＵＬサブフレームｎに関連するＭ個のＤＬサブフレームにおける送信から導出されるＰＵＣＣＨリソースとして、
【数６０】
0006023342.tif 000064
を意味する。ここで、
【数６１】
0006023342.tif 000065
である。
【数６２】
0006023342.tif 000066
および
【数６３】
0006023342.tif 000067
は、プライマリセル上のダウンリンクＳＰＳリリースを示すＰＤＳＣＨ送信またはＰＤＣＣＨに関連する。そして、
【数６４】
0006023342.tif 000068
、
【数６５】
0006023342.tif 000069
は、セカンダリセル上のＰＤＳＣＨ送信に関連する。
【００７２】
プライマリセルに対して、ｋ∈Ｋにおいて、サブフレームｎ−ｋ内で検出される対応するＰＤＣＣＨ／ＥＰＤＣＣＨがないプライマリセル上のＰＤＳＣＨ送信がある場合、
【数６６】
0006023342.tif 000070
の値は、高レイヤ設定および表５（例えば、図７）に従って決定されることができる。
【００７３】
ｋ∈Ｋにおいて、サブフレームｎ−ｋ内で検出される対応するＰＤＣＣＨ／ＥＰＤＣＣＨがないプライマリセル上のＰＤＳＣＨ送信がある場合、サブフレームｎ−ｋｍ内の対応するＰＤＣＣＨ／ＥＰＤＣＣＨの検出により示されるプライマリセル上のＰＤＳＣＨ送信に対して、ここで、「１」に等しいＰＤＣＣＨ／ＥＰＤＣＣＨ内のＤＡＩ値を伴うｋｍ∈Ｋであり、または、サブフレームｎ−ｋｍ内のダウンリンクＳＰＳリリースを示すＰＤＣＣＨ、ここで、「１」に等しいＰＤＣＣＨ／ＥＰＤＣＣＨ内のＤＡＩ値を伴うｋｍ∈Ｋである。そして、サブフレームｎ−ｋｍがＥＰＤＣＣＨに対して設定されていない場合、ＰＵＣＣＨリソースは、
【数６７】
0006023342.tif 000071
である。ここで、ｃは、｛０，１，２，３｝から
【数６８】
0006023342.tif 000072
であるように選択され、
【数６９】
0006023342.tif 000073
である。ここで、ｎＣＣＥ，ｍは、サブフレームｎ−ｋｍ内のＥＰＤＣＣＨセット
【数７０】
0006023342.tif 000074
に対する対応するＰＤＣＣＨの送信のために用いられる第１ＣＣＥの数であり、
【数７１】
0006023342.tif 000075
は、複数の高レイヤにより設定される。
【００７４】
ｋ∈Ｋにおいて、サブフレームｎ−ｋ内で検出される対応するＰＤＣＣＨ／ＥＰＤＣＣＨがないプライマリセル上のＰＤＳＣＨ送信がある場合、サブフレームｎ−ｋｍ内の対応するＰＤＣＣＨ／ＥＰＤＣＣＨの検出により示されるプライマリセル上のＰＤＳＣＨ送信に対して、ここで、「１」に等しいＰＤＣＣＨ／ＥＰＤＣＣＨ内のＤＡＩ値を伴うｋｍ∈Ｋであり、または、サブフレームｎ−ｋｍ内のダウンリンクＳＰＳリリースを示すＰＤＣＣＨ、ここで、１に等しいＰＤＣＣＨ／ＥＰＤＣＣＨ内のＤＡＩ値を伴うｋｍ∈Ｋであり、サブフレームｎ−ｋｍが、ＥＰＤＣＣＨに対して設定される場合、ＰＵＣＣＨリソースは、
【数７２】
0006023342.tif 000076
であり、ここで、ｎＥＣＣＥ，ｍは、サブフレームｎ−ｋｍ内のＥＰＤＣＣＨセット
【数７３】
0006023342.tif 000077
に対する対応するＥＰＤＣＣＨの送信のために用いられる第１のＥＣＣＥの数である。
【００７５】
ｋ∈Ｋにおいて、サブフレームｎ−ｋ内で検出される対応するＰＤＣＣＨ／ＥＰＤＣＣＨがないプライマリセル上のＰＤＳＣＨ送信がある場合、ＨＡＲＱ−ＡＣＫ（０）が、対応するＰＤＣＣＨ／ＥＰＤＣＣＨがないＰＤＳＣＨ送信に対するＡＣＫ／ＮＡＣＫ／ＤＴＸ応答であり得る。
【数７４】
0006023342.tif 000078
に対して、対応するＰＤＣＣＨ／ＥＰＤＣＣＨを伴うＰＤＳＣＨ送信、および「ｊ」に等しいＰＤＣＣＨ／ＥＰＤＣＣＨ内のＤＡＩ値、またはダウンリンクＳＰＳリリースを示し、「ｊ」に等しいＰＤＣＣＨ／ＥＰＤＣＣＨ内のＤＡＩ値を伴うＰＤＣＣＨ／ＥＰＤＣＣＨが受信される場合、ＨＡＲＱ−ＡＣＫ（ｊ）が、対応するＡＣＫ／ＮＡＣＫ／ＤＴＸ応答であり得、さもなければ、ＨＡＲＱ−ＡＣＫ（ｊ）は、ＤＴＸにセットされ得る。
【００７６】
別の面では（例えば、ｋ∈Ｋにおいて、サブフレームｎ−ｋ内で検出される対応するＰＤＣＣＨ／ＥＰＤＣＣＨを用いたプライマリセル上のＰＤＳＣＨ送信がある場合）、「１」または「２」のいずれか一方に等しいＰＤＣＣＨ／ＥＰＤＣＣＨ内のＤＡＩ値で、ｋｍ∈Ｋの場合に、サブフレームｎ−ｋｍ内の対応するＰＤＣＣＨ／ＥＰＤＣＣＨの検出により示されるプライマリセル上のＰＤＳＣＨ送信に対して、または、「１」または「２」のいずれか一方に等しいＰＤＣＣＨ／ＥＰＤＣＣＨ内のＤＡＩ値で、ｋｍ∈Ｋの場合に、サブフレームｎ−ｋｍ内のダウンリンクＳＰＳリリースを示すＰＤＣＣＨ／ＥＰＤＣＣＨの検出により示されるプライマリセル上のＰＤＳＣＨ送信に対して、そして、サブフレームｎ−ｋｍがＥＰＤＣＣＨに対して設定されていない場合、ＰＵＣＣＨリソースは、
【数７５】
0006023342.tif 000079
である。ここで、ｃは、｛０，１，２，３｝から、
【数７６】
0006023342.tif 000080
であるように選択され、
【数７７】
0006023342.tif 000081
であり、ここで、ｎＣＣＥ，ｍは、サブフレームｎ−ｋｍ内の対応するＰＤＣＣＨの送信に用いられる第１ＣＣＥの数であり、
【数７８】
0006023342.tif 000082
は、複数の高レイヤによって設定され、「１」に等しいＤＡＩ値をもつ対応するＰＤＣＣＨに対して、i＝０であり、「２」に等しいＤＡＩ値をもつ対応するＰＤＣＣＨに対して、ｉ＝１である。
【００７７】
別の面では（例えば、ｋ∈Ｋにおいて、サブフレームｎ−ｋ内で検出される対応するＰＤＣＣＨ／ＥＰＤＣＣＨを用いたプライマリセル上のＰＤＳＣＨ送信がある場合）、「１」または「２」のいずれか一方に等しいＰＤＣＣＨ／ＥＰＤＣＣＨ内のＤＡＩ値で、ｋｍ∈Ｋの場合に、サブフレームｎ−ｋｍ内の対応するＰＤＣＣＨ／ＥＰＤＣＣＨの検出により示されるプライマリセル上のＰＤＳＣＨ送信に対して、または、「１」または「２」のいずれか一方に等しいＰＤＣＣＨ／ＥＰＤＣＣＨ内のＤＡＩ値で、ｋｍ∈Ｋの場合に、サブフレームｎ−ｋｍ内のダウンリンクＳＰＳリリースを示すＰＤＣＣＨ／ＥＰＤＣＣＨに対して、そして、サブフレームｎ−ｋｍがＥＰＤＣＣＨに対して設定されている場合、ＰＵＣＣＨリソースは、
【数７９】
0006023342.tif 000083
である。ここで、ｎＣＣＥ，ｍは、サブフレームｎ−ｋｍ内のＥＰＤＣＣＨセット
【数８０】
0006023342.tif 000084
に対して対応するＥＰＤＣＣＨの送信に用いられる第１ＥＣＣＥの数であり、「１」に等しいＤＡＩ値をもつ対応するＥＰＤＣＣＨに対して、ｉ＝０であり、「２」に等しいＤＡＩ値をもつＥＰＤＣＣＨセット
【数８１】
0006023342.tif 000085
に対して対応するＥＰＤＣＣＨに対してｉ＝１である。
【００７８】
別の面では（例えば、ｋ∈Ｋにおいて、サブフレームｎ−ｋ内で検出される対応するＰＤＣＣＨ／ＥＰＤＣＣＨを用いたプライマリセル上のＰＤＳＣＨ送信がある場合）、
【数８２】
0006023342.tif 000086
に対して、対応するＰＤＣＣＨ／ＥＰＤＣＣＨおよび「ｊ＋１」に等しいＰＤＣＣＨ／ＥＰＤＣＣＨ内のＤＡＩ値、またはダウンリンクＳＰＳリリースを示すＰＤＣＣＨ／ＥＰＤＣＣＨを用いた、および「j＋１」に等しいＰＤＣＣＨ／ＥＰＤＣＣＨ内のＤＡＩ値を用いた、ＰＤＳＣＨ送信が受信される場合、ＨＡＲＱ−ＡＣＫ（ｊ）は、対応するＡＣＫ／ＮＡＣＫ／ＤＴＸ応答である。さもなくば、ＨＡＲＱ−ＡＣＫ（ｊ）は、ＤＴＸに設定されることができる。
【００７９】
セカンダリセルは、ＥＰＤＣＣＨを送信しないかもしれない。したがって、ＰＵＣＣＨリソース割り当ては、セカンダリセルに対するレガシーＰＤＣＣＨ規則を使用するかもしれない。
【００８０】
他の例において、ＰＤＣＣＨのみがバンドリングウィンドウ内にある場合、レガシーＰＵＣＣＨリソース割り当て方法が使用されることができる。ＥＰＤＣＣＨのみがバンドリングウィンドウ内にある場合、ＥＰＤＣＣＨに関連するＰＵＣＣＨリソース割り当て方法が使用されることができる。  少なくとも１つのＥＰＤＣＣＨがバンドリングウィンドウ内にある場合、上記の通り、レガシーＰＵＣＣＨリソース割り当て方法が使用されることができるか、あるいはＥＰＤＣＣＨに関連するＰＵＣＣＨリソース割り当てが使用されることができる。
【００８１】
チャネル選択を伴うＰＵＣＣＨフォーマット１ａ／１ｂまたはＰＵＣＣＨフォーマット１ｂの場合について説明される同様の原理が、ＰＵＣＣＨフォーマット３が設定される場合（例えば、プライマリセルフォールバックの場合）に適用することができる。
【００８２】
他の例は、図１３のフローチャートで示すように、ユーザ機器（ＵＥ）において、サブフレームｎ内のハイブリッド自動再送要求アクノレッジ（ＨＡＲＱ−ＡＣＫ）送信に対する条件付き時分割複信（ＴＤＤ）物理アップリンク制御チャネル（ＰＵＣＣＨ）リソース割り当てのための方法５００を提供する。その方法は、ＵＥのための機械、コンピュータ回路、またはプロセッサ上の複数の命令として実行されてよい。複数の命令は、少なくとも１つのコンピュータ可読媒体または１つの非一時的マシン可読記憶媒体上に含まれる。その方法は、前の特定のサブフレーム内で受信されるダウンリンク制御チャネルタイプが物理ダウンリンク制御チャネル（ＰＤＣＣＨ）、または拡張物理ダウンリンク制御チャネル（ＥＰＤＣＣＨ）であるかを認識する動作を含む。ここで、前の特定のサブフレームは、ブロック５１０に示すように、サブフレームｎの前の時間内で生じる。  ブロック５２０に示すように、ダウンリンク制御チャネルタイプがＰＤＣＣＨである場合に、物理ダウンリンク制御チャネル（ＰＤＣＣＨ）の最低制御チャネルエレメント（ＣＣＥ）インデックスを用いてＨＡＲＱ−ＡＣＫ送信についてのＰＵＣＣＨリソースを決定するための動作が続く。ブロック５３０に示すように、その方法の次の動作は、ダウンリンク制御チャネルタイプがＥＰＤＣＣＨである場合にＥＰＤＣＣＨの最低拡張ＣＣＥ（ＥＣＣＥ）インデックスを用いてＨＡＲＱ−ＡＣＫ送信についてのＰＵＣＣＨリソースを決定することであり得る。
【００８３】
一例において、前の特定のサブフレームは、サブフレームｎ−ｋを含むことができる。ここで、ｋ∈Ｋであり、ダウリンク関連セットインデックスＫは、第３世代パートナーシッププロジェクト（３ＧＰＰ）ロングタームエボリューション（ＬＴＥ）標準リリース１１、技術仕様書（ＴＳ）３６．２１３（例えば、図３）の表１０．１．３．１−１で定義されている。Ｋは、サブフレームｎおよびアップリンク／ダウンリンク（ＵＬ／ＤＬ）設定に応じたＭ個のエレメント｛ｋ０，ｋ１，・・・ｋＭ−１｝のセットを含む。
【００８４】
他の例において、ＥＰＤＣＣＨの最低拡張ＣＣＥ（ＥＣＣＥ）インデックスを用いてサブフレームｎ−ｋについてのＰＵＣＣＨリソースを決定する動作は、
【数８３】
0006023342.tif 000087
により表されるパラメータＶａｌｕｅ（値）を用いてＰＵＣＣＨリソースを決定するようさらに構成されることができる。ここで、アクノレッジ（ＡＣＫ）／ネガティブＡＣＫ（ＡＣＫ／ＮＡＣＫ）リソースオフセット（ＡＲＯ）は、ＥＰＤＣＣＨ内のダウンリンク制御情報（ＤＣＩ）から導出される整数オフセット値である。アンテナポート（ＡＰ）は、パラメータ（０，・・・，３）である。
【数８４】
0006023342.tif 000088
は、ＥＰＤＣＣＨセット
【数８５】
0006023342.tif 000089
に対するＵＥ固有の開始オフセット値である。ｍは、整数である。ｋｍは、ＵＥがサブフレームｎ−ｋｍ内のＥＰＤＣＣＨセット
【数８６】
0006023342.tif 000090
についてのＥＰＤＣＣＨを検出するようなセットＫ内の最小値である。
【００８５】
１つの設定されたサービングセルおよびサブフレームｎに対して、Ｍ＝１で、ＰＤＣＣＨの最低ＣＣＥインデックスｎＣＣＥを用いてＨＡＲＱ−ＡＣＫ送信についてのＰＵＣＣＨリソース
【数８７】
0006023342.tif 000091
を決定する動作は、｛０，１，２，３｝の中から、
【数８８】
0006023342.tif 000092
になるＣ値を選択することと、アンテナポートｐ０に対して、
【数８９】
0006023342.tif 000093
で表され、
アンテナポートｐ１に対して、
【数９０】
0006023342.tif 000094
で表されるＰＵＣＣＨリソース
【数９１】
0006023342.tif 000095
を使用することをさらに含む。ここで、ｎＣＣＥは、サブフレームｎ−ｋｍおよび対応するｍ内の対応するＰＤＣＣＨの送信に用いられる第１ＣＣＥインデックスの数である。ｋｍは、サブフレームｎ−ｋｍ内のＰＤＣＣＨをＵＥが検出するようなＫのセット内の最小値である。
【数９２】
0006023342.tif 000096
、
【数９３】
0006023342.tif 000097
がダウンリンク帯域幅設定であり、
【数９４】
0006023342.tif 000098
の複数のユニットで表現される。
【数９５】
0006023342.tif 000099
は、周波数領域内のリソースブロックサイズであり、複数のサブキャリアの数として表現される。
【数９６】
0006023342.tif 000100
は、アップリンクサブフレーム内のＰＵＣＣＨ領域についての開始ＰＵＣＣＨチャネルインデックスであり、それぞれのＵＥに対して複数の高レイヤによって設定される。アンテナポートｐ１は、２つのアンテナポート送信が設定されている場合に用いられることができる。ＥＰＤＣＣＨの最低ＥＣＣＥインデックスｎＥＣＣＥを用いてＨＡＲＱ−ＡＣＫ送信についてＰＵＣＣＨリソース
【数９７】
0006023342.tif 000101
を決定する動作は、アンテナポートｐ０に対して、
【数９８】
0006023342.tif 000102
で表され、
アンテナポートｐ１に対して、
【数９９】
0006023342.tif 000103
で表されるＰＵＣＣＨリソース
【数１００】
0006023342.tif 000104
を使用することをさらに含むことができる。ここで、Ｖａｌｕｅ（値）は、パラメータである。ｎＥＣＣＥは、サブフレームｎ−ｋｍおよび対応するｍ内のＥＰＤＣＣＨセット
【数１０１】
0006023342.tif 000105
に対して対応するＥＰＤＣＣＨの送信に用いられる第１ＥＣＣＥの数である。ここで、ｋｍは、ＵＥがサブフレームｎ−ｋｍ内のＥＰＤＣＣＨセット
【数１０２】
0006023342.tif 000106
に対してＥＰＤＣＣＨを検出するようなセットＫ内の最小値である。アンテナポートｐ１は、２つのアンテナポート送信が設定されている場合に使用されることができる。
【００８６】
【数１０３】
0006023342.tif 000107
であるＭ＞１で、１つの設定されたサービングされるおよびサブフレームｎに対して、最低ＣＣＥインデックスｎＣＣＥ，ｉを用いることで、ＨＡＲＱ−ＡＣＫ送信についてＰＵＣＣＨリソース
【数１０４】
0006023342.tif 000108
を決定する動作は、
【数１０５】
0006023342.tif 000109
により表される。ここで、ｃは、
【数１０６】
0006023342.tif 000110
であるように｛０，１，２，３｝から選択される。ｎＣＣＥ，ｉは、サブフレームｎ−ｋｉ内の対応するＰＤＣＣＨの送信に用いられる第１ＣＣＥインデックスの数である。
【数１０７】
0006023342.tif 000111
、
【数１０８】
0006023342.tif 000112
は、ダウンリンク帯域幅設定であり、
【数１０９】
0006023342.tif 000113
の複数のユニット内に表される。
【数１１０】
0006023342.tif 000114
は、周波数領域内のリソースブロックサイズであり、複数のサブキャリアの数として表される。
【数１１１】
0006023342.tif 000115
は、アップリンクサブフレーム内のＰＵＣＣＨ領域に対する開始ＰＵＣＣＨチャネルインデックスであり、それぞれのＵＥに対する複数の高レイヤにより設定される。  ＥＰＤＣＣＨの最低ＥＣＣＥインデックスｎＥＣＣＥ，ｉを用いることでＨＡＲＱ−ＡＣＫ送信に対するＰＵＣＣＨリソース
【数１１２】
0006023342.tif 000116
を決定する動作は、
【数１１３】
0006023342.tif 000117
により表され得る。ここで、Ｖａｌｕｅ（値）はパラメータである。ｎＥＣＣＥ，ｉは、サブフレームｎ−ｋｉ内のＥＰＤＣＣＨセット
【数１１４】
0006023342.tif 000118
に対する対応するＥＰＤＣＣＨの送信に用いられる第１ＥＣＣＥの数である。
【００８７】
プライマリセル上でｋｍ∈Ｋであり、
【数１１５】
0006023342.tif 000119
であり、Ａ∈｛２，３，４｝であって、
【数１１６】
0006023342.tif 000120
である、少なくとも２つの設定されたサービングセルおよびサブフレームｎに対して、ＰＤＣＣＨの最低ＣＣＥインデックスｎＣＣＥ，ｍを用いたＨＡＲＱ−ＡＣＫ送信に対してＰＵＣＣＨリソース
【数１１７】
0006023342.tif 000121
を決定する動作は、
【数１１８】
0006023342.tif 000122
および
【数１１９】
0006023342.tif 000123
により表すことができる。
ここで、ｃは、
【数１２０】
0006023342.tif 000124
になるように｛０，１，２，３｝から選択される。
ｎＣＣＥ，ｍは、サブフレームｎ−ｋｉ内の対応するＰＤＣＣＨの送信について用いられる第１ＣＣＥインデックスの数である。
【数１２１】
0006023342.tif 000125
、
【数１２２】
0006023342.tif 000126
は、プライマリセルからのダウンリンク帯域幅設定であり、
【数１２３】
0006023342.tif 000127
の複数のユニットで表される。
【数１２４】
0006023342.tif 000128
は、周波数領域内のリソースブロックサイズであり、複数のサブキャリアの数として表される。
【数１２５】
0006023342.tif 000129
は、アップリンクサブフレーム内のＰＵＣＣＨ領域について開始ＰＵＣＣＨチャネルインデックスであり、それぞれのＵＥに対して複数の高レイヤによって設定される。
ここで、
【数１２６】
0006023342.tif 000130
は、サブフレームｎ、および対応する物理ダウンリンク共有チャネル（ＰＤＳＣＨ）送信が生じるサービングセル上で２つのトランスポートブロックまでサポートする送信モードについて用いられる。ＥＰＤＣＣＨの最低ＥＣＣＥインデックスｎＥＣＣＥ，ｍを用いてＨＡＲＱ−ＡＣＫ送信についてＰＵＣＣＨリソース
【数１２７】
0006023342.tif 000131
を決定する動作は、
【数１２８】
0006023342.tif 000132
および
【数１２９】
0006023342.tif 000133
で表されることができる。ここで、Ｖａｌｕｅ（値）は、パラメータである。ｎＥＣＣＥ，ｍは、サブフレームｎ−ｋｍ内のＥＰＤＣＣＨセット
【数１３０】
0006023342.tif 000134
に対してＥＰＤＣＣＨによる対応するＤＣＩ割り当ての送信に用いられる第１ＥＣＣＥの数である。そして、
【数１３１】
0006023342.tif 000135
は、サブフレームｎ、および対応するＰＤＳＣＨ送信が生じるサービングセル上の２つのトランスポートブロックまでサポートする送信モードに対して用いられる。
【００８８】
ｋ∈Ｋ、プライマリセルに対してｋｍ∈Ｋにおいて、Ｍ＞２で、少なくとも２つの設定されたサービングセルおよびサブフレームｎに対して、ＰＤＣＣＨの最低ＣＣＥインデックスｎＣＣＥ，ｍを用いることでＨＡＲＱ−ＡＣＫ送信に対するＰＵＣＣＨリソース
【数１３２】
0006023342.tif 000136
を決定する動作は、
【数１３３】
0006023342.tif 000137
によって表されることができる。
ここで、ｃは、
【数１３４】
0006023342.tif 000138
になるような｛０，１，２，３｝から選択される。ｎＣＣＥ，ｍは、サブフレームｎ−ｋｍ内の対応するＰＤＣＣＨの送信に用いられる第１ＣＣＥインデックスの数である。
【数１３５】
0006023342.tif 000139
【数１３６】
0006023342.tif 000140
は、プライマリセルからのダウンリンク帯域幅設定であり、
【数１３７】
0006023342.tif 000141
の複数のユニット内で表される。
【数１３８】
0006023342.tif 000142
は、周波数領域内のリソースブロックサイズであり、複数のサブキャリアの数として表される。
【数１３９】
0006023342.tif 000143
は、アップリンクサブフレーム内のＰＵＣＣＨ領域に対する開始ＰＵＣＣＨチャネルインデックスであり、それぞれのＵＥに対して複数の高レイヤにより設定される。  ＥＰＤＣＣＨの最低ＥＣＣＥインデックスｎＥＣＣＥ，ｍを用いたＨＡＲＱ−ＡＣＫ送信に対するＰＵＣＣＨリソース
【数１４０】
0006023342.tif 000144
を決定する動作は、
【数１４１】
0006023342.tif 000145
により表されることができる。ここで、Ｖａｌｕｅ（値）は、パラメータでである。ｎＥＣＣＥ，ｍは、サブフレームｎ−ｋｍ内のＥＰＤＣＣＨセット
【数１４２】
0006023342.tif 000146
に対して対応するＥＰＤＣＣＨの送信に用いられる第１ＥＣＣＥの数である。
【００８９】
他の例は、図１４のフローチャートに示されるように、サブフレームｎ内のハイブリッド自動再送要求アクノレッジ（ＨＡＲＱ−ＡＣＫ）送信に対する時分割複信（ＴＤＤ）における条件付き物理アップリンク制御チャネル（ＰＵＣＣＨ）リソース割当を提供するよう動作可能なユーザ機器（ＵＥ）上のプロセッサのコンピュータ回路の機能性６００を提供する。機能性は、方法として実装されてよい。または機能性は、機械上の複数の命令として実行されてよい。複数の命令は、少なくとも１つのコンピュータ可読媒体または１つの非一時的マシン可読記憶媒体上に含まれる。コンピュータ回路は、前の特定のサブフレーム内のダウンリンク制御チャネルを受信するよう構成されることができる。前の特定のサブフレームは、ブロック６１０に示すように、サブフレームｎより前の時間で生じる。コンピュータ回路は、ブロック６２０に示すように、前の特定のサブフレーム内で受信されるダウンリンク制御チャネルタイプが物理ダウンリンク制御チャネル（ＰＤＣＣＨ）または拡張物理ダウンリンク制御チャネル（ＥＰＤＣＣＨ）であることを認識するようさらに構成されることができる。コンピュータ回路は、また、ブロック６３０に示すように、受信されるダウンリンク制御チャネルタイプがＰＤＣＣＨである場合、ＰＤＣＣＨの最低制御チャネルエレメント（ＣＣＥ）インデックスを使用したＨＡＲＱ−ＡＣＫ送信に対するＰＵＣＣＨリソースを決定するように構成されることができる。コンピュータ回路は、ブロック６４０に示すように、受信されたダウンリンク制御チャネルタイプがＥＰＤＣＣＨである場合、ＥＰＤＣＣＨの最低拡張ＣＣＥ（ＥＣＣＥ）インデックスを使用したＨＡＲＱ−ＡＣＫ送信に対するＰＵＣＣＨリソースを決定するようにさらに構成されることができる。
【００９０】
一例において、前の特定のサブフレームは、サブフレームｎ−ｋを含むことができる。ここで、ｋ∈Ｋであり、ダウリンク関連セットインデックスＫは、第３世代パートナーシッププロジェクト（３ＧＰＰ）ロングタームエボリューション（ＬＴＥ）標準リリース１１、技術仕様書（ＴＳ）３６．２１３の表１０．１．３．１−１（例えば、表３）で定義される。そして、Ｋは、サブフレームｎおよびアップリンク／ダウンリンク（ＵＬ／ＤＬ）設定に応じたＭ個のエレメント｛ｋ０，ｋ１，・・・ｋＭ−１｝のセットを含むことができる。他の例において、サブフレームｎ−ｋは、ＰＤＣＣＨおよび設定されたＥＰＤＣＣＨサブフレームを含む。
【００９１】
他の設定において、ＥＰＤＣＣＨの最低ＥＣＣＥインデックスを用いてサブフレームｎ−ｋに対するＰＵＣＣＨリソースを決定するよう構成されたコンピュータ回路は、パラメータ（例えば、Ｖａｌｕｅ（値））を用いてＰＵＣＣＨリソースを決定するようさらに構成されることができる。パラメータは、アクノレッジ（ＡＣＫ）／ネガティブＡＣＫ（ＡＣＫ／ＮＡＣＫ）リソースオフセット（ＡＲＯ）、アンテナポート（ＡＰ）、ＥＰＤＣＣＨセットに対するＵＥ固有の開始オフセット値、および整数ｍから導出されることができる。ここで、ｋｍは、ＵＥがサブフレームｎ−ｋｍ内のＥＰＤＣＣＨを検出するようなセットＫ内の最小値である。
【００９２】
Ｋ∈｛ｋ０，ｋ１，・・・ｋＭ−１｝のセット内のエレメントの数であるＭが、Ｍ＝１である、１つの設定されたサービングセルおよびサブフレームｎに対して、ＰＤＣＣＨの最低ＣＣＥインデックスｎＣＣＥを用いたＨＡＲＱ−ＡＣＫ送信についてのＰＵＣＣＨリソース
【数１４３】
0006023342.tif 000147
を決定するよう構成されたコンピュータ回路は、
【数１４４】
0006023342.tif 000148
になり、アンテナポートｐ０に対して、
【数１４５】
0006023342.tif 000149
で表され、アンテナポートｐ１に対して、
【数１４６】
0006023342.tif 000150
で表されるＰＵＣＣＨリソース
【数１４７】
0006023342.tif 000151
を使用する｛０，１，２，３｝のなかからＣ値を選択することができる。ここで、ｎＣＣＥは、サブフレームｎ−ｋｍおよび対応するｍ内の対応するＰＤＣＣＨの送信に用いられる第１ＣＣＥインデックスの数である。ｋｍは、ＵＥがサブフレームｎ−ｋｍ内のＰＤＣＣＨを検出するようなセットＫ内の最小値である。
【数１４８】
0006023342.tif 000152
、
【数１４９】
0006023342.tif 000153
がダウンリンク帯域幅設定であり、
【数１５０】
0006023342.tif 000154
の複数のユニットで表現される。
【数１５１】
0006023342.tif 000155
は、周波数領域内のリソースブロックサイズであり、複数のサブキャリアの数として表現される。
【数１５２】
0006023342.tif 000156
は、アップリンクサブフレーム内のＰＵＣＣＨ領域についての開始ＰＵＣＣＨチャネルインデックスであり、それぞれのＵＥに対して複数の高レイヤによって設定される。  アンテナポートｐ１は、２つのアンテナポート送信が設定される場合に使用されることができる。ＥＰＤＣＣＨの最低ＥＣＣＥインデックスｎＥＣＣＥを用いたＨＡＲＱ−ＡＣＫ送信についてＰＵＣＣＨリソース
【数１５３】
0006023342.tif 000157
を決定するよう構成されたコンピュータ回路は、アンテナポートｐ０に対して、
【数１５４】
0006023342.tif 000158
で表され、アンテナポートｐ１に対して、
【数１５５】
0006023342.tif 000159
で表されるＰＵＣＣＨリソース
【数１５６】
0006023342.tif 000160
を使用できる。ここで、Ｖａｌｕｅ（値）は、パラメータである。ｎＥＣＣＥは、サブフレームｎ−ｋｍおよび対応するｍ内のＥＰＤＣＣＨセット
【数１５７】
0006023342.tif 000161
に対して対応するＥＰＤＣＣＨの送信に用いられる第１ＥＣＣＥの数である。ここで、ｋｍは、ＵＥがサブフレームｎ−ｋｍ内のＥＰＤＣＣＨセット
【数１５８】
0006023342.tif 000162
に対してＥＰＤＣＣＨを検出するようなセットＫ内の最小値である。アンテナポートｐ１は、２つのアンテナポート送信が設定されている場合に使用されることができる。
【００９３】
Ｋ∈｛ｋ０，ｋ１，・・・ｋＭ−１｝かつ
【数１５９】
0006023342.tif 000163
のセット内の複数のエレメントの数であるＭが、Ｍ＞１である、１つの設定されたサービングセルとサブフレームｎに対して、最低ＣＣＥインデックスｎＣＣＥ，ｉを用いてＨＡＲＱ−ＡＣＫ送信に対してＰＵＣＣＨリソース
【数１６０】
0006023342.tif 000164
を決定するよう構成されたコンピュータ回路は、
【数１６１】
0006023342.tif 000165
により表されることができる。
ここで、ｃは、
【数１６２】
0006023342.tif 000166
になるような｛０，１，２，３｝から選択される。ｎＣＣＥ，ｉは、サブフレームｎ−ｋｉ内の対応するＰＤＣＣＨの送信に用いられる第１ＣＣＥインデックスの数である。
【数１６３】
0006023342.tif 000167
、
【数１６４】
0006023342.tif 000168
は、ダウンリンク帯域幅設定であり、
【数１６５】
0006023342.tif 000169
の複数のユニットで表現される。
【数１６６】
0006023342.tif 000170
は、周波数領域内のリソースブロックサイズであり、サブキャリアの数として表される。
【数１６７】
0006023342.tif 000171
は、アップリンクサブフレーム内のＰＵＣＣＨ領域に対する開始ＰＵＣＣＨチャネルインデックスであり、それぞれのＵＥに対して複数の高レイヤによって設定される。最低ＥＣＣＥインデックスｎＣＣＥ，ｉを用いてＨＡＲＱ−ＡＣＫ送信に対するＰＵＣＣＨリソース
【数１６８】
0006023342.tif 000172
を決定するように構成されたコンピュータ回路は、
【数１６９】
0006023342.tif 000173
で表される。ここで、Ｖａｌｕｅ（値）は、前記パラメータであり、ｎＥＣＣＥ，ｉは、サブフレームｎ−ｋｉ内のＥＰＤＣＣＨセット
【数１７０】
0006023342.tif 000174
に対して対応するＥＰＤＣＣＨの送信に用いられる第１ＥＣＣＥの数である。
【００９４】
Ｋ∈｛ｋ０，ｋ１，・・・ｋＭ−１｝セット内の複数のエレメントの数であるＭが、
【数１７１】
0006023342.tif 000175
であり、プライマリセル上でｋｍ∈Ｋで、
【数１７２】
0006023342.tif 000176
かつＡ∈｛２，３，４｝であって、少なくとも２つの設定されたサービングセルおよびサブフレームｎに対して、最低ＣＣＥインデックスｎＣＣＥ，ｍを用いてＨＡＲＱ−ＡＣＫ送信に対するＰＵＣＣＨリソース
【数１７３】
0006023342.tif 000177
を決定するよう構成されたコンピュータ回路は、
【数１７４】
0006023342.tif 000178
および
【数１７５】
0006023342.tif 000179
により表すことができる。ここで、ｃは、
【数１７６】
0006023342.tif 000180
になるように｛０，１，２，３｝から選択される。ｎＣＣＥ，ｍは、サブフレームｎ−ｋｍ内の対応するＰＤＣＣＨの送信に用いされる第１ＣＣＥインデックスの数であり、
【数１７７】
0006023342.tif 000181
、
【数１７８】
0006023342.tif 000182
は、プライマリセルからのダウンリンク帯域幅設定であり、
【数１７９】
0006023342.tif 000183
の複数のユニット内で表される。
【数１８０】
0006023342.tif 000184
は、周波数領域内のリソースブロックサイズであり、複数のサブキャリアの数として表される。
【数１８１】
0006023342.tif 000185
は、アップリンクサブフレーム内のＰＵＣＣＨ領域に対する開始ＰＵＣＣＨチャネルインデックスであり、それぞれのＵＥに対して複数の高レイヤによって設定され、
【数１８２】
0006023342.tif 000186
は、サブフレームｎ、および対応する物理ダウンリンク共有チャネル（ＰＤＳＣＨ）送信が生じるサービングセル上の２つのトランスポートブロックまでサポートする送信モードのために用いられる。最低ＥＣＣＥインデックスｎＥＣＣＥ，ｍを用いてＨＡＲＱ−ＡＣＫ送信に対するＰＵＣＣＨリソース
【数１８３】
0006023342.tif 000187
を決定するよう構成されたコンピュータ回路は、
【数１８４】
0006023342.tif 000188
および
【数１８５】
0006023342.tif 000189
により表されることができる。ここで、Ｖａｌｕｅ（値）は、パラメータである。ｎＥＣＣＥ，ｍは、サブフレームｎ−ｋｍ内のＥＰＤＣＣＨセット
【数１８６】
0006023342.tif 000190
に対してＥＰＤＣＣＨによる対応するＤＣＩ割り当ての送信に用いられる第１ＥＣＣＥの数である。
【数１８７】
0006023342.tif 000191
は、サブフレームｎ、および対応するＰＤＳＣＨ送信が生じるサービングセル上の２つの送信ブロックまでサポートする送信モードのために用いられる。
【００９５】
プライマリセルに対して、ｋ∈Ｋ、ｋｍ∈Ｋで、Ｋ∈｛ｋ０，ｋ１，・・・ｋＭ−１｝セット内の複数のエレメントの数であるＭが、Ｍ＞２である少なくとも２つんお設定されたサービングセルおよびサブフレームｎに対して、最低ＣＣＥインデックスｎＣＣＥ，ｍを用いたＨＡＲＱ−ＡＣＫ送信に対するＰＵＣＣＨリソース
【数１８８】
0006023342.tif 000192
を決定するよう構成されたコンピュータ回路は、
【数１８９】
0006023342.tif 000193
で表されることができる。
ここで、ｃは、
【数１９０】
0006023342.tif 000194
になるように｛０，１，２，３｝から選択される。
ｎＣＣＥ，ｍは、サブフレームｎ−ｋｍ内の対応するＰＤＣＣＨの送信に用いられる第１ＣＣＥインデックスの数である。
【数１９１】
0006023342.tif 000195
、
【数１９２】
0006023342.tif 000196
は、プライマリセルからのダウンリンク帯域幅設定であり、
【数１９３】
0006023342.tif 000197
の複数のユニット内で表される。
【数１９４】
0006023342.tif 000198
は、周波数領域内のリソースブロックサイズであり、複数のサブキャリアの数として表される。
【数１９５】
0006023342.tif 000199
は、アップリンクサブフレーム内のＰＵＣＣＨ領域に対する開始ＰＵＣＣＨチャネルインデックスであり、それぞれのＵＥに対して複数の高レイヤによって設定される。最低ＥＣＣＥインデックスｎＥＣＣＥ，ｍを用いるＨＡＲＱ−ＡＣＫ送信に対するＰＵＣＣＨリソース
【数１９６】
0006023342.tif 000200
を決定するよう構成されたコンピュータ回路は、
【数１９７】
0006023342.tif 000201
で表されることができる。ここで、Ｖａｌｕｅ（値）は、パラメータである。ｎＥＣＣＥ，ｍは、サブフレームｎ−ｋｍ内のＥＰＤＣＣＨセット
【数１９８】
0006023342.tif 000202
に対して対応するＥＰＤＣＣＨの送信に用いられる第１ＥＣＣＥの数である。
【００９６】
他の例において、コンピュータ回路は、第３世代パートナーシッププロジェクト（３ＧＰＰ）ロングタームエボリューション（ＬＴＥ）標準リリース１１  ＰＵＣＣＨフォーマット１ａまたは１ｂ、あるいはチャネル選択付きの３ＧＰＰ  ＰＵＣＣＨ  ＬＴＥ標準リリース１１フォーマット１ｂ、あるいは３ＧＰＰ  ＰＵＣＣＨ  ＬＴＥ標準リリース１１フォーマット３に対してアンテナポートｐにマッピングされた
【数１９９】
0006023342.tif 000203
に対するサブフレームｎ内のＨＡＲＱ−ＡＣＫ送信のためのＰＵＣＣＨリソース
【数２００】
0006023342.tif 000204
を使用することができる。
【００９７】
図１５は、一例のノード（例えば、サービングノード７１０および協調ノード７５０）および一例の無線デバイス７２０を図示する。ノードは、ノードデバイス７１２および７５２を含むことができる。ノードデバイスまたはノードは、無線デバイス（例えば、ＵＥ）と通信するよう構成されることができる。ノードデバイス、ノードにおけるデバイス、またはノードは、Ｘ２アプリケーションプロトコル（Ｘ２ＡＰ）などのバックホールリンク７４８を介して複数の他のノードと通信するように構成されることができる。ノードデバイスは、プロセッサ７１４および７５４およびトランシーバ７１６および７５６を含むことができる。トランシーバは、ＰＵＣＣＨリソース内のＨＡＲＱ−ＡＣＫフィードバックを受信するよう構成されることができる。トランシーバ７１６および７５６は、Ｘ２アプリケーションプロトコル（Ｘ２ＡＰ）を介して協調ノードと通信するようさらに構成されることができる。プロセッサは、保留手順が、本明細書で開示されるように、ＰＵＣＣＨ検出のために実装されるようにさらに構成されることができる。サービングノードは、プライマリセル（ＰＣｅｌｌ）およびセカンダリセル（ＳＣｅｌｌ）の両方を生成できる。ノード（例えば、サービングノード７１０および協調ノード７５０）は、基地局（ＢＳ）、ノードＢ（ＮＢ）、発展型ＮｏｄｅＢ（ｅＮＢ）、ベースバンドユニット（ＢＢＵ）、遠隔無線ヘッド（ＲＲＨ）、遠隔無線機器（ＲＲＥ）、遠隔無線ユニット（ＲＲＵ）、または中央処理モジュール（ＣＰＭ）を含むことができる。
【００９８】
（ノードにより使用される）デバイスは、サブフレームｎ内のハイブリッド自動再送要求アクノレッジ（ＨＡＲＱ−ＡＣＫ）送信のための時分割複信（ＴＤＤ）における物理アップリンク制御チャネル（ＰＵＣＣＨ）リソース割当を検出するよう構成されることができる。トランシーバ７１６および７５６は、ダウンリンク制御チャネルタイプで設定されるサブフレームｎ内のＰＵＣＣＨリソースを受信するよう構成されることができる。プロセッサ７１４および７５４は、サブフレームｎが物理ダウンリンク制御チャネル（ＰＤＣＣＨ）または拡張物理ダウンリンク制御チャネル（ＰＤＣＣＨ）で設定されるときを特定し、ダウンリンク制御チャネルタイプがＰＤＣＣＨである場合に、物理ダウンリンク制御チャネル（ＰＤＣＣＨ）の最低制御チャネルエレメント（ＣＣＥ）インデックスを使用したＨＡＲＱ−ＡＣＫ送信に対するＰＵＣＣＨリソースを復号し、ダウンリンク制御チャネルタイプがＥＰＤＣＣＨである場合に、ＥＰＤＣＣＨの最低拡張ＣＣＥ（ＥＣＣＥ）インデックスを用いたＨＡＲＱ−ＡＣＫ送信に対するＰＵＣＣＨリソースを復号するように設定される。
【００９９】
一例において、ダウンリンク制御チャネルタイプは、サブフレームｎ−ｋ内で受信されることができる。ここで、ｋ∈Ｋであり、ダウンリンク関連セットインデックスＫは、第３世代パートナーシッププロジェクト（３ＧＰＰ）ロングタームエボリューション（ＬＴＥ）標準リリース１１、技術仕様書（ＴＳ）３６．２１３の表１０．１．３．１−１で定義されており、Ｋは、サブフレームｎおよびアップリンク／ダウンリンク（ＵＬ／ＤＬ）設定に応じたＭ個のエレメント｛ｋ０，ｋ１，・・・ｋＭ−１｝を含む。
【０１００】
他の例において、ＥＰＤＣＣＨの最低ＥＣＣＥインデックスを用いたＨＡＲＱ−ＡＣＫ送信に対するＰＵＣＣＨリソースを復号するよう構成されたプロセッサは、
【数２０１】
0006023342.tif 000205
により表されるパラメータＶａｌｕｅ（値）を用いてＰＵＣＣＨリソースを復号するようさらに構成されることができる。ここで、アクノレッジ（ＡＣＫ）／ネガティブＡＣＫ（ＡＣＫ／ＮＡＣＫ）リソースオフセット（ＡＲＯ）は、ＥＰＤＣＣＨ内のダウンリンク制御情報（ＤＣＩ）から導出される整数オフセット値である。アンテナポート（ＡＰ）は、パラメータ（０，・・・，３）である。
【数２０２】
0006023342.tif 000206
は、ＥＰＤＣＣＨセット
【数２０３】
0006023342.tif 000207
に対するＵＥ固有の開始オフセット値である。ｍは、整数であり、ｋｍは、ＵＥがサブフレームｎ−ｋｍ内のＥＰＤＣＣＨセット
【数２０４】
0006023342.tif 000208
についてのＥＰＤＣＣＨを検出するようなセットＫ内の最小値である。
【０１０１】
無線デバイス７２０（例えば、ＵＥ）は、トランシーバ７２４およびプロセッサ７２２を含むことができる。無線デバイス（例えば、デバイス）は、図１３の５００または図１４の６００で示されるように、サブフレームｎ内のハイブリッド自動再送要求アクノレッジ（ＨＡＲＱ−ＡＣＫ）送信に対する時分割複信（ＴＤＤ）における条件付き物理アップリンク制御チャネル（ＰＵＣＣＨ）リソース割当を提供するよう構成されることができる。
【０１０２】
図１６は、ユーザ機器（ＵＥ）、移動局（ＭＳ）、移動無線デバイス、モバイル通信デバイス、タブレット、ハンドセット、または他のタイプの無線デバイスなどの無線デバイスの例示的な図を提供する。無線デバイスは、基地局（ＢＳ）、発展型ＮｏｄｅＢ（ｅＮＢ）、ベースバンドユニット（ＢＢＵ）、遠隔無線ヘッド（ＲＲＨ）、遠隔無線機器（ＲＲＥ）、中継局（ＲＳ）、無線機器（ＲＥ）、遠隔無線ユニット（ＲＲＵ）、中央処理モジュール（ＣＰＭ）、または他のタイプの無線ワイドエリアネットワーク（ＷＷＡＮ）アクセスポイントなどのノードまたは送信局と通信するよう構成される１または複数のアンテナを含むことができる。無線デバイスは、３ＧＰＰ  ＬＴＥ、ＷｉＭＡＸ、高速パケットアクセス（ＨＳＰＡ）、ブルートゥース（登録商標）およびＷｉＦｉを含む少なくとも１つの無線通信規格を使用して通信するよう構成されることができる。無線デバイスは、それぞれの無線通信規格に対して別個の複数のアンテナ、または複数の無線通信規格に対して共通の複数のアンテナを使用して通信できる。  無線デバイスは、無線ローカルエリアネットワーク（ＷＬＡＮ）、無線パーソナルエリアネットワーク（ＷＰＡＮ）、および／またはＷＷＡＮにおいて通信できる。
【０１０３】
図１６は、また、無線デバイスからの音声入力および出力のために用いられることができるマイクおよび１または複数のスピーカの図を提供する。ディスプレイ画面は、液晶ディスプレイ（ＬＣＤ）画面、または有機発光ダイオード（ＯＬＥＤ）ディスプレイなどの他のタイプのディスプレイ画面でよい。ディスプレイ画面は、タッチスクリーンとして構成されることができる。タッチスクリーンは、容量、抵抗、または他のタイプのタッチスクリーン技術を使用してよい。アプリケーションプロセッサおよびグラフィクスプロセッサは、複数の処理および表示能力を提供するための内部メモリに連結されることができる。不揮発性メモリポートは、ユーザにデータの入力／出力のオプションを提供するために使用されることもできる。不揮発性メモリポートは、無線デバイスのメモリ容量を拡張するのにも使用されてよい。キーボードは、追加のユーザ入力を提供すべく、無線デバイスに統合され、または無線デバイスに無線接続されてよい。仮想キーボードがタッチスクリーンを使用することで提供されてもよい。
【０１０４】
それに関する様々な技術、いくつかの側面またはオプションは、フロッピー（登録商標）ディスク、コンパクトディスクリードオンリメモリメモリ（ＣＤ−ＲＯＭ）、ハードドライバ、非一時的コンピュータ可読ストレージ媒体、または任意の他の機械読取可能ストレージ媒体などの有形媒体に実装されるプログラムコード（例えば、複数の命令）の形で具現化してよい。プログラムコードがコンピュータなどの機械によりロードされ、実行されると、機械がその様々な技術を実行できる装置になる。電気回路は、ハードウェア、ファームウェア、プログラムコード、実行可能なコード、複数のコンピュータ命令、および／またはソフトウェアを含むことができる。非一時的コンピュータ可読ストレージ媒体は、信号を含まないコンピュータ読み取り可能なストレージ媒体であり得る。  複数のプログラマブルコンピュータ上でプログラムコードが実行される場合、コンピューティングデバイスは、プロセッサ、プロセッサにより読取可能なストレージ媒体（揮発性および不揮発性メモリおよび／または複数のストレージ要素）、少なくとも１つの入力デバイス、および少なくとも１つの出力デバイスを含んでよい。揮発性および不揮発性メモリおよび／または複数のストレージ要素は、ランダムアクセスメモリ（ＲＡＭ）、消去可能ＰＲＯＭ（ＥＰＲＯＭ）、フラッシュドライブ、光学ドライブ、磁気ハードドライブ、半導体ドライブ、または電子データを格納するための他の媒体でよい。ノードおよび無線デバイスは、トランシーバモジュール（例えば、トランシーバ）。カウンタモジュール（例えば、カウンタ）、処理モジュール（例えば、プロセッサ）、および／またはクロックモジュール（例えば、クロック）またはタイマモジュール（例えば、タイマ）も含んでよい。本明細書で記載される様々な技術を実装または利用してよい１または複数のプログラムは、アプリケーションプログラマブルインターフェース（ＡＰＩ）、再利用可能な制御装置などを使用してよい。そのようなプログラムは、コンピュータシステムと通信する高いレベルの手続型またはオブジェクト指向のプログラミング言語で実装されてよい。しかしながら、プログラムは、もし望ましいならば、アセンブリまたは機械言語で実装されてよい。いずれの場合でも、言語は、コンパイラ型、またはインタプリンタ言語でよく、ハードウェア実装と組み合わせらてよい。
【０１０５】
本明細書で記載されている複数の機能ユニットの多くは、独立実装をより一層強調するために、複数のモジュールとして名前付けされていることを理解すべきである。例えば、モジュールは、カスタム超大規模集積（ＶＬＳＩ）回路または複数のゲートアレイ、複数の論理チップ、複数のトランジスタ、または複数の他の個別部品などの既製の半導体を含むハードウェア回路として実装されてよい。モジュールは、複数のフィールドプログラマブルゲートアレイ、プログラマブルアレイロジック、複数のプログラマブルロジックデバイス、または同種のものなどの複数のプログラマブルハードウェアデバイスにも実装されてよい。
【０１０６】
複数のモジュールは、様々なタイプのプロセッサにより実行されるソフトウェアにより実装されてもよい。  実行可能なコードの識別されたモジュールは、例えば、オブジェクト、手順、または機能として編成されてよい、例えばコンピュータ命令の１または複数の物理または論理ブロックを含んでよい。そうは言うものの、識別されたモジュールの実行ファイルは、物理的に一緒に位置づけられる必要はなく、論理的に共に連結する場合、モジュールを含み、モジュールに対して上述の目的を達成するように、異なる位置に格納された異なる複数の命令を含んでよい。
【０１０７】
実際には、実行可能なコードのモジュールは、単一の命令、または複数の命令でよく、異なるプログラム間、およびいつくかのメモリデバイスを横断して、いくつかの異なるコードセグメントに分散されてさえよい。同様に、処理データは、識別され、本明細書で図示されているように複数のモジュール内にあってよく、任意の適切なフォームで実装され、任意の積的なタイプのデータ構造体内に組織化されてよい。  処理データは、単一のデータセットとしてまとめられてよく、異なる複数のストレージデイバスを含む異なる複数の位置に分散してよく、システムまたはネットワーク上の電子信号としてのみ、少なくとも部分的に、存在してよい。モジュールは、望ましい機能を実行する動作が可能な複数のエージェントを含み、受動的または能動的であってよい。
【０１０８】
本明細書を通じて言及される「例えば」または「例」は、特定の特徴、構造、または例に関連して述べられる特性が、本願発明の少なくとも1つの実施形態において含むことを意味する。したがって、本明細書を通じて様々な箇所の「例えば」という用語、「例」という言葉の出現は、同じ実施形態に対して必ずしもすべて言及されるものではない。
【０１０９】
本明細書で使用されているように、複数の項目、構造的要素、合成要素、および／または材料は、便宜のために共通のリストで述べられてよい。しかしながら、これらのリストは、それぞれのリストのそれぞれが別個の固有の部材として個々に識別されるように解釈されるべきである。したがって、そのようなリストの個々の部材は、単に反対の兆候なしに共通のグループでの提示に基づいて、同じリストの任意の他の部材の事実上の同等なものとして解釈されるものではない。さらに、本願発明の様々な実施形態および例は、様々なコンポーネントに対して代替手段と併せて、本明細書に付託されてよい。そのような複数の実施形態、複数の例、および代替手段は、他の事実上同等なものとして構成されず、本願発明の別個の独立した説明として考慮されるものと理解される。
【０１１０】
さらに、記述された複数の特徴、構造、特性は、１または複数の実施形態において適切な方法で組み合わされてよい。次に述べるように、多数の明確な説明は、本願発明の実施形態の完全な理解を提供するために、配置、距離、ネットワーク例などの例示などとして提供される。しかしながら、当業者は、本願発明が１または複数の特定の説明なしに、または他の方法、コンポーネント、配置などで実現できることを認識するであろう。他の例において、周知の構造、材料、または動作は示していない、または本願発明の解釈を曖昧にすることを避けるために詳細に記載されている。
【０１１１】
上述の例は、１または複数の特定のアプリケーションにおいて本願発明の原理を図示しているが、形態、使用、および実装の詳細における様々な変更が、発明力の実現なしに、発明の原理および概念から逸脱しないに実現できることは当業者にとって明らかである。したがって、本願発明は、以下に示す特許請求の範囲を除いて、限定されることを意図していない。
【図１】
0006023342.tif 000331
【図２】
0006023342.tif 000332
【図３】
0006023342.tif 000333
【図４】
0006023342.tif 000334
【図５】
0006023342.tif 000335
【図６】
0006023342.tif 000336
【図７】
0006023342.tif 000337
【図８】
0006023342.tif 000338
【図９】
0006023342.tif 000339
【図１０】
0006023342.tif 000340
【図１１】
0006023342.tif 000341
【図１２】
0006023342.tif 000342
【図１３】
0006023342.tif 000343
【図１４】
0006023342.tif 000344
【図１５】
0006023342.tif 000345
【図１６】
0006023342.tif 000346